(57)【要約】【課題】  ＴＰＯに応じて外観を容易に変更可能で且つ興趣性に優れた内掛眼鏡フレーム及び眼鏡フレームセットを提供する。【解決手段】  内掛眼鏡フレーム２００，２００Ａ〜２００Ｅ，２００Ｘは、眼鏡フレーム１００，１００’，１００”に対して取り付けられた状態において、前枠１１０，１１０’，１１０”の後面に重ね合わされる左右一対のリム２１０，２１０Ａ，２１０Ｘと、リム２１０，２１０Ａ，２１０Ｘを連結するブリッジ部２２０，２２０Ａ，２２０Ｘであって、前枠１１０，１１０’，１１０”と鼻当て用のパッド１４０，１４０’，１４０”との間に介在するクリングス１５０，１５０’，１５０”に支持されるブリッジ部２３０，２３０Ａ，２３０Ｘとを備える。【選択図】  図２
2006317670.tif 000002
【特許請求の範囲】
【請求項１】
レンズを保持する前枠と、前記前枠の両端からそれぞれ後方に延出する左右一対のテンプルとを具備する眼鏡フレームに対して着脱自在に取り付けられる、テンプルを具備しない内掛眼鏡フレームであって、
前記眼鏡フレームに対して取り付けられた状態において、前記前枠の後面に重ね合わされる左右一対のリムと、
前記左右一対のリムを連結するブリッジ部であって、前記眼鏡フレームを構成する前枠と該前枠に設けられた鼻当て用のパッドとの間に介在するクリングスに支持されるブリッジ部とを備えることを特徴とする内掛眼鏡フレーム。
【請求項２】
請求項１に記載の内掛眼鏡フレームと、
レンズを保持する前枠と、前記前枠の両端からそれぞれ後方に延出する左右一対のテンプルとを具備する眼鏡フレームと
を備えることを特徴とする眼鏡フレームセット。
【請求項３】
請求項１に記載の内掛眼鏡フレームと、
レンズを保持する前枠と、前記前枠の両端からそれぞれ後方に延出する一対のテンプルと、軸部材を介して前記テンプルの後部と揺動可能に取り付けられ、耳の裏側に当接可能な耳当接部を有する耳当て部材と、前記テンプルの前記耳当て部材が取り付けられた部位より前方にある所定部と前記耳当接部の前端部とを連結する可撓性の絡み防止部材とを具備し、前記絡み防止部材は、弾性部材であって、前記耳当接部の前端部を前記テンプル側へ押し付ける弾性力を作用させる姿勢と、前記耳当接部の前端部を前記テンプルから離間させる弾性力を作用させる姿勢とに切り替わる眼鏡フレームと
を備えることを特徴とする眼鏡フレームセット。
【発明の詳細な説明】
【技術分野】
【０００１】
本発明は、内掛眼鏡フレーム及び眼鏡フレームセットに関する。
【背景技術】
【０００２】
近年の眼鏡フレームに対するファッション性、デザイン性等の装飾機能重視の傾向に鑑みれば、外観をＴＰＯ（時（Time）、所（Place）、場合（Occasion））に応じて変更可能にするために、眼鏡フレームの前面に重ね合わせて着脱可能に取り付けられる種々の前掛眼鏡フレームが提案されている（例えば、特許文献１参照）。
【特許文献１】特許第３３５５１２０号公報
【発明の開示】
【発明が解決しようとする課題】
【０００３】
ところが、前記したような従来の前掛眼鏡フレームでは、専ら眼鏡フレームの前面に重ね合わせて取り付けられるため、眼鏡フレームの前枠が前掛眼鏡フレームに隠蔽され易く、眼鏡フレーム自身のデザインが生かされ難いことから興趣性に欠けるという問題がある。
【０００４】
本発明は、斯かる従来技術の問題点を解決するべくなされたものであり、ＴＰＯに応じて外観を容易に変更可能で且つ興趣性に優れた内掛眼鏡フレーム及び眼鏡フレームセットを提供することを課題とする。
【課題を解決するための手段】
【０００５】
前記課題を解決するべく、本発明は、レンズを保持する前枠と、前記前枠の両端からそれぞれ後方に延出する左右一対のテンプルとを具備する眼鏡フレームに対して着脱自在に取り付けられる、テンプルを具備しない内掛眼鏡フレームであって、前記眼鏡フレームに対して取り付けられた状態において、前記前枠の後面に重ね合わされる左右一対のリムと、前記左右一対のリムを連結するブリッジ部であって、前記眼鏡フレームを構成する前枠と該前枠に設けられた鼻当て用のパッドとの間に介在するクリングスに支持されるブリッジ部とを備えることを特徴とする内掛眼鏡フレームを提供する。なお、本発明に係る内掛眼鏡フレームを構成する前記左右一対のリムとは、所謂、眼鏡フレームにおけるレンズを嵌め込むためのリムと同等の形態を有する部材を意味する。
【０００６】
本発明に係る内掛眼鏡フレームでは、前記眼鏡フレームに対して取り付けられるにあたり、前記左右一対のリムを連結するブリッジ部が、前記眼鏡フレームを構成する前枠と該前枠に設けられた鼻当て用のパッドとの間に介在するクリングスに支持されるので、ＴＰＯに応じて外観を容易に変更することができる。さらに、前記眼鏡フレームに対して取り付けられた状態において、前記左右一対のリムが前記眼鏡フレームを構成する前枠の後面に重ね合わされるので、該眼鏡フレームの前枠が該左右一対のリムに隠蔽されることがなく、眼鏡フレーム自身のデザインが生かされ易く、これにより興趣性を向上させることができる上、眼鏡フレーム自身のデザインに合わせたデザインにすることができる。なお、前記左右一対のリムは、枠だけの状態であってもよいし、透明部材やサングラスのような遮光部材等の光透過性部材が嵌め込まれていてもよい。
【０００７】
このように本発明に係る内掛眼鏡フレームによれば、ＴＰＯに応じて外観を容易に変更可能で且つ興趣性に優れた利点を有する。
【０００８】
前記内掛眼鏡フレームを構成するブリッジ部には、前記クリングスに係合する係合部が設けられていることが好ましい。こうすることで、該係合部の前記クリングスへの係合によって、前記内掛眼鏡フレームのブリッジ部が、該クリングスに対して確実に装着され得る。これにより、前記内掛眼鏡フレームが前記眼鏡フレームから脱落し難くすることができる。
【０００９】
前記内掛眼鏡フレームのブリッジ部に前記係合部が設けられる具体的態様としては、前記内掛眼鏡フレームの少なくともブリッジ部が可撓性を有する部材で形成されており、前記内掛眼鏡フレームの左右一対のリム間の左右方向の最小の距離が前記眼鏡フレームのクリングスにおける、前記内掛眼鏡フレームのブリッジ部を支持する左右方向の支持端部間の距離より小さく設定されている一方、前記内掛眼鏡フレームのブリッジ部の左右一対のリムとの付け根部分でそれぞれ前記眼鏡フレームのクリングスにおける前記支持端部をそれぞれ保持する左右一対の保持部が設けられており、該左右一対の保持部間の左右方向の最大の距離が前記眼鏡フレームのクリングスにおける前記支持端部間の距離と略同等に設定されている場合を例示できる。
【００１０】
この態様の内掛眼鏡フレームでは、該内掛眼鏡フレームが眼鏡フレームに取り付けられる際には、内掛眼鏡フレームの左右一対のリムがそれぞれ眼鏡フレームのクリングスの前記支持端部に配設される。このとき、内掛眼鏡フレームのブリッジ部に付勢力が作用していない状態となっており、一対のリム間の左右方向の最小距離が眼鏡フレームのクリングスにおける前記支持端部間の距離より小さく設定されている。この状態で、内掛眼鏡フレーム全体を上下方向の該内掛眼鏡フレームのブリッジ部がクリングスに近づく方向に向けて移動させれば、リムがクリングスの前記支持端部に沿って該方向に移動することで、内掛眼鏡フレームのブリッジ部が撓みつつ一対のリム間の左右方向の距離が拡がり、或いは／さらに、一対のリム間の左右方向の距離が拡がるように外力によって（例えば、両リムを両手で拡開することによって）内掛眼鏡フレームのブリッジ部を撓ませつつ内掛眼鏡フレーム全体を上下方向の該内掛眼鏡フレームのブリッジ部がクリングスに近づく方向に向けて移動させれば、当該リム間の左右方向の距離を有する隙間を眼鏡フレームのクリングスの前記支持端部間が通過可能となり、これによりクリングスの前記支持端部が内掛眼鏡フレームのブリッジ部の左右一対のリムとの付け根部分にそれぞれ設けられた左右一対の保持部に保持される。そして、当該クリングスが前記隙間を通過した後には、内掛眼鏡フレームのブリッジ部が元の状態（付勢力が作用していない状態）に戻る。この状態においては、一対のリム間の左右方向の最小距離がクリングスの前記支持端部間の距離より小さくなるため、当該リム間の左右方向の距離を有する隙間から眼鏡フレームのクリングスが抜け難くなり、こうして眼鏡フレームに内掛眼鏡フレームが簡単且つ安定した状態で確実に取り付けられ得る。一方、内掛眼鏡フレームが眼鏡フレームから取り外される際には、内掛眼鏡フレーム全体を上下方向の該内掛眼鏡フレームのブリッジ部がクリングスから離間する方向に向けて移動させることにより、リムがクリングスの前記支持端部に沿って該方向に移動することで、内掛眼鏡フレームのブリッジ部が撓みつつ一対のリム間の左右方向の距離が拡がり、或いは／さらに、一対のリム間の左右方向の距離が拡がるように外力によって（例えば、両リムを両手で拡開することによって）内掛眼鏡フレームのブリッジ部を撓ませつつ内掛眼鏡フレーム全体を上下方向の該内掛眼鏡フレームのブリッジ部がクリングスから離間する方向に向けて移動させることにより、当該リム間の左右方向の距離を有する隙間を眼鏡フレームのクリングスの前記支持端部間が通過可能となり、こうして眼鏡フレームから内掛眼鏡フレームが簡単に取り外され得る。
【００１１】
本発明に係る内掛眼鏡フレームにおいて、前記内掛眼鏡フレームを構成するブリッジ部が次の第１から第５の好ましい態様に構成される場合を例示できる。即ち、
【００１２】
（１）第１態様の構成
前記内掛眼鏡フレームを構成するブリッジ部は、前記眼鏡フレームを構成する前枠のブリッジ部後面の形状に対応する凹溝が前面に形成されたブリッジ部本体と、前記ブリッジ部本体の前記凹溝の上端から前方に向けて延設された延設部と、前記凹溝と前後方向に対向するように前記延設部の前端部から下方に延設され、前後方向に撓むことが可能な可撓性部材からなる係止部とを備え、前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されている構成。
【００１３】
この第１態様の構成では、内掛眼鏡フレームを構成するブリッジ部が、眼鏡フレームを構成する前枠のブリッジ部後面の形状に対応する凹溝が前面に形成されたブリッジ部本体と、ブリッジ部本体の凹溝の上端から前方に向けて延設された延設部と、凹溝と前後方向に対向するように延設部の前端部から下方に延設され、前後方向に撓むことが可能な可撓性部材からなる係止部とを備える構成とされている。そして、係止部に付勢力が作用していない状態において、凹溝の底部と係止部との前後方向の間隔が、眼鏡フレームのブリッジ部の前後方向の厚みと略同等に設定されている。従って、内掛眼鏡フレームが眼鏡フレームに取り付けられた状態においては、眼鏡フレームのブリッジ部後面が内掛眼鏡フレームのブリッジ部本体の凹溝に嵌め込まれ、眼鏡フレームのブリッジ部前面が係止部の後面で係止される状態で、延設部が眼鏡フレームのブリッジ部に下方から支持されることになる。従って、内掛眼鏡フレームのブリッジ部の前後方向及び下方向への動きが、眼鏡フレームのブリッジ部によって規制されることになり、内掛眼鏡フレームを眼鏡フレームに確実に取り付けることが可能である。
【００１４】
また、係止部に付勢力が作用していない状態において、ブリッジ部本体と係止部の下端部との前後方向の最小の間隔が、眼鏡フレームのブリッジ部の前後方向の厚みよりも小さく設定されている。従って、内掛眼鏡フレームが眼鏡フレームに取り付けられる際には、内掛眼鏡フレームの延設部を眼鏡フレームのブリッジ部の上方に配設した後、内掛眼鏡フレームを下方へ移動させれば、眼鏡フレームのブリッジ部が内掛眼鏡フレームの係止部の下端部に当接し、係止部が前方に向けて付勢されて撓むため、ブリッジ部本体と係止部の下端部との前後方向の間隔が拡がり、当該間隔を有する隙間を眼鏡フレームのブリッジ部が容易に通過することになる。そして、眼鏡フレームのブリッジ部が前記隙間を通過した後には、係止部が元の状態（付勢力が作用していない状態）に戻り、ブリッジ部本体と係止部の下端部との前後方向の最小の間隔が眼鏡フレームのブリッジ部の前後方向の厚みよりも小さくなるため、当該間隔を有する隙間から眼鏡フレームのブリッジ部が抜け難くなる。一方、内掛眼鏡フレームが眼鏡フレームから取り外される際には、内掛眼鏡フレームの前方が上方に移動するように回動しながら内掛眼鏡フレームの全体を上方へ移動させることにより、眼鏡フレームのブリッジ部後面が内掛眼鏡フレームのブリッジ部本体の凹溝から抜けると共に、眼鏡フレームのブリッジ部が内掛眼鏡フレームの係止部の下端部に当接し、係止部が前方に向けて付勢されて撓むため、ブリッジ部本体と係止部の下端部との前後方向の間隔が拡がり、当該間隔を有する隙間から眼鏡フレームのブリッジ部が容易に抜けることになる。
【００１５】
この構成において、好ましくは、前記係止部の下端部前面は、上方から下方に向けて前記ブリッジ部本体から離間する方向に湾曲した曲面形状とされる。斯かる構成によれば、眼鏡フレームのブリッジ部を内掛眼鏡フレームのブリッジ部本体と係止部の下端部との隙間に挿脱する際に、湾曲した曲面形状に沿って眼鏡フレームのブリッジ部を移動させることができるため、内掛眼鏡フレームの着脱動作をスムーズに行うことができるという利点を有する。
【００１６】
（２）第２態様の構成
前記内掛眼鏡フレームを構成するブリッジ部は、前記眼鏡フレームを構成する前枠のブリッジ部後面の形状に対応する凹溝が前面に形成されたブリッジ部本体と、前記ブリッジ部本体の前記凹溝の下端から前方に向けて延設された延設部と、前記凹溝と前後方向に対向するように前記延設部の前端部から上方に延設され、前後方向に撓むことが可能な可撓性部材からなる係止部とを備え、前記係止部に付勢力が作用していない状態において、前記ブリッジ部本体と前記係止部の上端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されている構成。
【００１７】
この第２態様の構成では、着脱動作の方向が上下に反転する点を除き、前記第１態様の構成と略同等の作用効果を奏する。
【００１８】
（３）第３の態様の構成
前記内掛眼鏡フレームを構成するブリッジ部は、ブリッジ部本体と、前記ブリッジ部本体の上端部から前方に向けて延設された延設部と、前記ブリッジ部本体と対向するように前記延設部の前端部から下方に延設され、前後方向に撓むことが可能な可撓性部材からなる係止部とを備え、前記係止部の上端部後面には、前記眼鏡フレームを構成する前枠のブリッジ部前面の形状に対応する凹溝が形成され、前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記ブリッジ部本体との前後方向の間隔は、前記眼鏡フレームのブリッジ部の前後方向の厚みと略同等に設定されている構成。
【００１９】
この第３態様の構成では、前記第１態様の構成においてブリッジ部本体に形成された凹溝を、ブリッジ部本体ではなく係止部に形成する構成としている。斯かる第３態様の構成についても、前記第１態様の構成と略同等の作用効果を奏する。
【００２０】
（４）第４の態様の構成
前記内掛眼鏡フレームを構成するブリッジ部は、ブリッジ部本体と、前記ブリッジ部本体の下端部から前方に向けて延設された延設部と、前記ブリッジ部本体と対向するように前記延設部の前端部から上方に延設され、前後方向に撓むことが可能な可撓性部材からなる係止部とを備え、前記係止部の下端部後面には、前記眼鏡フレームを構成する前枠のブリッジ部前面の形状に対応する凹溝が形成され、前記係止部に付勢力が作用していない状態において、前記ブリッジ部本体と前記係止部の上端部との前後方向の最小の間隔が、前記眼鏡フレームのブリッジ部の前後方向の厚みよりも小さく設定されている一方、前記凹溝の底部と前記ブリッジ部本体との前後方向の間隔は、前記眼鏡フレームのブリッジ部の前後方向の厚みと略同等に設定されている構成。
【００２１】
この第４態様の構成では、前記第３態様の構成においてブリッジ部の上下を反転させた構成としている。斯かる第４態様の構成についても、着脱動作の方向が上下に反転する点を除き、前記第３態様の構成と略同等の作用効果を奏する。
【００２２】
（５）第５の態様の構成
前記内掛眼鏡フレームを構成するブリッジ部は、前記眼鏡フレームを構成する前枠のブリッジ部後面の形状に対応する凹溝が前面に形成されたブリッジ部本体と、前記ブリッジ部本体の前記凹溝の上端から前方に向けて延設された第１の係止部と、前記第１の係止部と略同等の長さを有し、前記ブリッジ部本体の前記凹溝の下端から前方に向けて延設された第２の係止部とを備え、前記第１の係止部及び前記第２の係止部の少なくとも何れか一方は、上下方向に撓むことが可能な可撓性部材からなり、前記第１の係止部及び前記第２の係止部に付勢力が作用していない状態において、前記第１の係止部の前端部と前記第２の係止部の前端部との上下方向の最小の間隔が、前記眼鏡フレームのブリッジ部の上下方向の厚みよりも小さく設定されている一方、前記第１の係止部の後端部と前記第２の係止部の後端部との上下方向の間隔は、前記眼鏡フレームのブリッジ部の上下方向の厚みと略同等に設定されており、なお且つ、前記第１の係止部の後端部又は前記第２の係止部の後端部の長さと前記凹溝の深さとの和が、前記眼鏡フレームのブリッジ部の前後方向の厚みと略同等に設定されている構成。
【００２３】
この第５態様の構成では、内掛眼鏡フレームを構成するブリッジ部が、眼鏡フレームのブリッジ部後面の形状に対応する凹溝が前面に形成されたブリッジ部本体と、ブリッジ部本体の凹溝の上端から前方に向けて延設された第１の係止部と、第１の係止部と略同等の長さを有し、ブリッジ部本体の凹溝の下端から前方に向けて延設された第２の係止部とを備え、第１の係止部及び第２の係止部の少なくとも何れか一方が、上下方向に撓むことが可能な可撓性部材から構成されている。そして、第１の係止部及び第２の係止部に付勢力が作用していない状態において、第１の係止部の前端部と第２の係止部の前端部との上下方向の間隔が、眼鏡フレームのブリッジ部の上下方向の厚みと略同等に設定されており、なお且つ、第１の係止部の後端部又は第２の係止部の後端部の長さ（即ち、第１の係止部と第２の係止部との上下方向の間隔が眼鏡フレームのブリッジ部の上下方向の厚みと略同等に設定されている第１の係止部又は第２の係止部の後端部の長さ）と凹溝の深さとの和が、眼鏡フレームのブリッジ部の前後方向の厚みと略同等に設定されている。従って、内掛眼鏡フレームが眼鏡フレームに取り付けられた状態においては、眼鏡フレームのブリッジ部前面が内掛眼鏡フレームのブリッジ部本体の凹溝に嵌め込まれ、眼鏡フレームのブリッジ部上下面が第１の係止部と第２の係止部との間で挟持されることになる。従って、内掛眼鏡フレームのブリッジ部の上下方向及び後方への動きが、眼鏡フレームのブリッジ部によって規制されることになり、内掛眼鏡フレームを眼鏡フレームに確実に取り付けることが可能である。
【００２４】
また、第１の係止部及び第２の係止部に付勢力が作用していない状態において、第１の係止部の前端部と第２の係止部の前端部との上下方向の最小の間隔が、眼鏡フレームのブリッジ部の上下方向の厚みよりも小さく設定されている。従って、内掛眼鏡フレームが眼鏡フレームに取り付けられる際には、内掛眼鏡フレームの第１の係止部と第２の係止部の隙間を眼鏡フレームのブリッジ部の後方に配設した後、内掛眼鏡フレームを前方へ移動させれば、眼鏡フレームのブリッジ部が内掛眼鏡フレームの第１の係止部の前端部の下端及び第２の係止部の前端部の上端に当接し、第１の係止部の前端部が上方に向けて付勢されて撓むか、若しくは第２の係止部の前端部が下方に向けて付勢されて撓むか、或いは第１の係止部及び第２の係止部の双方の前端部が撓むため、第１の係止部の前端部と第２の係止部の前端部との上下方向の間隔が拡がり、当該間隔を有する隙間を眼鏡フレームのブリッジ部が通過することになる。そして、眼鏡フレームのブリッジ部が前記隙間を通過した後には、第１の係止部若しくは第２の係止部或いはその双方が元の状態（付勢力が作用していない状態）に戻り、第１の係止部の前端部と第２の係止部の前端部との上下方向の最小の間隔が眼鏡フレームのブリッジ部の上下方向の厚みよりも小さくなるため、当該間隔を有する隙間から眼鏡フレームのブリッジ部が抜け難くなる。一方、内掛眼鏡フレームが眼鏡フレームから取り外される際には、内掛眼鏡フレームを後方へ移動させることにより、眼鏡フレームのブリッジ部後面が内掛眼鏡フレームのブリッジ部本体の凹溝から抜けると共に、眼鏡フレームのブリッジ部が内掛眼鏡フレームの第１の係止部の前端部及び第２の係止部の前端部に当接し、第１の係止部が上方に向けて付勢されて撓むか、若しくは第２の係止部が下方に向けて付勢されて撓むか、或いは第１の係止部及び第２の係止部の双方の前端部が撓むため、第１の係止部の前端部と第２の係止部の前端部との上下方向の間隔が拡がり、当該間隔を有する隙間から眼鏡フレームのブリッジ部が抜けることになる。
【００２５】
前記第１から第５態様の構成において、内掛眼鏡フレームの左右方向両端部の前面に、眼鏡フレームのフレームの左右方向両端部の後面の形状に対応する凹溝が設けられていてもよい。斯かる構成によれば、内掛眼鏡フレームの左右方向両端部の前面に、眼鏡フレームの左右方向両端部後面の形状に対応する凹溝が設けられているため、内掛眼鏡フレームを眼鏡フレームに取り付けた際に、前記凹溝に眼鏡フレームの左右方向両端部後面が係合することになり、より一層確実に内掛眼鏡フレームを眼鏡フレームに取り付けることが可能である。
【００２６】
本発明に係る内掛眼鏡フレームにおいて、前記左右一対のリム後方にそれぞれ配設された左右一対の筒状部材を更に備えていてもよい。斯かる構成によれば、該内掛眼鏡フレームの左右一対のリム後方にそれぞれ位置する左右一対の筒状部材を備えるため、内掛眼鏡フレームを取り付けた眼鏡を装着した場合、該眼鏡を構成するレンズと前記筒状部材とによって眼の周囲は覆われ、防塵機能を奏することになる。特に、内掛眼鏡フレームの左右一対のリムに前記光透過性部材が嵌め込まれている場合には、当該内掛眼鏡フレームの光透過性部材と前記筒状部材とによって眼の周囲は覆われ易く、それだけ防塵機能を高めることができる。この場合、内掛眼鏡フレームと左右一対の筒状部材とが一体的に形成されていてもよいし、左右一対の筒状部材が内掛眼鏡フレームに対して離間可能に取付られてもよい。後者のように、左右一対の筒状部材が内掛眼鏡フレームに対して離間可能に取付られる場合、左右一対の筒状部材が、少なくとも後方周縁部が弾性体から形成されており、硬質性の材料から形成された環状部材と、当該環状部材の周縁部から後方に延設された弾性部材とを有していてもよい。このように環状部材及び弾性部材を備えている場合には、筒状部材の少なくとも後方周縁部（顔部に当接する部分となる）が弾性体から形成されていて、筒状部材が、環状部材の周縁部から後方に延設された弾性部材を備え、当該弾性部材が顔部に当接することになるため、顔部への密着性が高まり、さらに防塵機能を向上させることができると共に、使用者が違和感を感じ難いという利点を有する。
【００２７】
また、左右一対の筒状部材が内掛眼鏡フレームに対して離間可能に取付られる場合、好ましくは、透明な材料から形成され、前記筒状部材の前方開口部を閉塞する眼鏡部材を更に備えるように構成される。斯かる構成によれば、筒状部材の前方開口部を閉塞する眼鏡部材を備えるため、筒状部材の前方開口部から花粉や粉塵等が筒状部材内部に進入することがなく、防塵機能を更に向上させることが可能である。また、眼鏡部材が透明な材料から形成されるため、眼鏡の視認性を損なうこともない。
【００２８】
好ましくは、前記筒状部材は、後方周縁部から外方又は内方に向けて平面状に突設され、弾性体から形成された鍔部を備えるように構成される。斯かる構成によれば、内掛眼鏡フレームを取り付けた眼鏡を装着した場合、平面状に突設された鍔部に顔部が当接することになる。即ち、筒状部材と顔部とが鍔部で面接触することになるため、顔部への密着性が高まり防塵機能をより一層向上させることができると共に、使用者が違和感をより一層感じ難いという利点を有する。
【００２９】
また、左右一対の筒状部材が内掛眼鏡フレームに対して離間可能に取付られる場合、好ましくは、前記筒状部材の前方周縁部に取り付けられた粘着材を更に備えるように構成される。斯かる構成によれば、筒状部材の前方周縁部に粘着材が取り付けられているため、前記筒状部材を取り付ける際に粘着材を内掛眼鏡フレームの左右一対のリム及び／又は前記左右一対のリムに前記光透過性部材が嵌め込まれている場合には、該光透過性部材後面に対して押圧すれば、当該粘着材の粘着力によって筒状部材がリム後面や光透過性部材後面にしっかりと固定されるという利点を有する。なお、粘着材としては、例えば、再粘着性を有するポリウレタン樹脂等を好適に用いることができる。
【００３０】
本発明はまた、次の第１及び第２の眼鏡フレームセットも提供する。即ち、
（１）第１の眼鏡フレームセット
前記本発明に係る内掛眼鏡フレームと、
レンズを保持する前枠と、前記前枠の両端からそれぞれ後方に延出する左右一対のテンプルとを具備する眼鏡フレームと
を備えることを特徴とする眼鏡フレームセット。
【００３１】
（２）第２の眼鏡フレームセット
前記本発明に係る内掛眼鏡フレームと、
レンズを保持する前枠と、前記前枠の両端からそれぞれ後方に延出する一対のテンプルと、軸部材を介して前記テンプルの後部と揺動可能に取り付けられ、耳の裏側に当接可能な耳当接部を有する耳当て部材と、前記テンプルの前記耳当て部材が取り付けられた部位より前方にある所定部と前記耳当接部の前端部とを連結する可撓性の絡み防止部材とを具備し、前記絡み防止部材は、弾性部材であって、前記耳当接部の前端部を前記テンプル側へ押し付ける弾性力を作用させる姿勢と、前記耳当接部の前端部を前記テンプルから離間させる弾性力を作用させる姿勢とに切り替わる眼鏡フレームと
を備えることを特徴とする眼鏡フレームセット。
【００３２】
本発明に係る第１の眼鏡フレームセットにおいて、前記テンプルの後部に着脱可能なクリップ部と、軸部材を介して前記クリップ部と揺動可能に取り付けられ、耳の裏側に当接可能な耳当接部と（耳の裏側に当接可能な耳当接部と、ピン又はねじ等の軸部材を備え、当該軸部材を用いて前記クリップ部と前記耳当接部とを揺動可能に取り付ける揺動部と）、一端が前記耳当接部の前端部に連結され、他端が前記テンプルの前記クリップ部が取り付けられた部位より前方にある所定部に着脱可能な可撓性の絡み防止部材とを具備する眼鏡取り付け具が前記眼鏡フレームに着脱可能に取り付けられている場合を例示できる。
【００３３】
この場合、前記眼鏡取り付け具が、前記クリップ部により、前記本発明に係る内掛眼鏡フレームが取り付けられる、一般的な眼鏡フレームのテンプルの後部に着脱可能に取り付けられる。また、クリップ部と耳当接部とは、ピン又はねじ等の軸部材を用いて揺動可能に取り付けられる。これにより、眼鏡フレームのテンプルと眼鏡取り付け具の耳当接部とが、揺動可能に取り付けられる。
【００３４】
斯かる構成によれば、眼鏡を掛けた状態で、眼鏡フレームの前枠がずれ落ちようとすると、前枠に延出されたテンプルの後部はずれ上がろうとし、テンプルに対して揺動可能に取り付けられた眼鏡取り付け具の耳当接部を上方へ移動させようとする。そして、耳当接部が上方へ移動しようとすると、軸部材を中心として耳当接部は前回り方向へ回転しようとする。この時、耳当接部の前端部が耳の裏側を押圧する力が大きくなり、その結果、耳当接部と耳の裏側との相対的な移動が阻止され、テンプルの後部のずれ上がりが阻止される。これにより、眼鏡のずれ落ちを防止することができる。
【００３５】
このように、前記本発明に係る内掛眼鏡フレームが取り付けられる、一般の眼鏡フレームのテンプルに着脱可能なクリップ部を有するとともに、当該クリップ部がテンプルに取り付けられた状態でテンプルに対して揺動可能な耳当接部を有することにより、特殊な眼鏡フレームを用いないで、眼鏡フレームについて鼻に掛かる負担を大きくすることなく眼鏡のずれ落ちを防止できる。また、眼鏡フレームを複数所有する場合であっても、様々なデザインの眼鏡フレームに対し、眼鏡取り付け具を着脱することにより、１つ（１対）の眼鏡取り付け具さえあれば、いずれの眼鏡フレームに対しても有効な眼鏡のずれ落ち防止効果を達成することができる。
【００３６】
さらに、一端が前記耳当接部の前端部に連結され、他端が前記テンプルの前記クリップ部が取り付けられた部位より前方にある所定部に着脱可能な可撓性の絡み防止部材をさらに具備するように構成されるので、可撓性の絡み防止部材が眼鏡フレームのテンプルのクリップ部が取り付けられた部位より前方にある所定部と眼鏡取り付け具の耳当接部の前端部とを連結するように取り付けられており、眼鏡を外す際に、テンプルを上方へ持ち上げてもテンプルと耳当接部の前端部との間が絡み防止部材で塞がれているため、髪の毛がテンプルと耳当接部との取り付け部に入り込みにくく、これに絡まることが抑制される。また、絡み防止部材は、可撓性を有しており、眼鏡取り付け具の耳当接部の揺動を阻害することがないため、上記眼鏡のずれ落ち抑制の機能を阻害することもない。
【００３７】
このように、可撓性の絡み防止部材によって眼鏡フレームのテンプルのクリップ部が取り付けられた部位より前方にある所定部と眼鏡取り付け具の耳当接部の前端部とを連結することにより、鼻に掛かる負担を大きくすることなく眼鏡のずれ落ちを防止できるとともに、眼鏡を外す際に髪の毛の眼鏡への絡みを抑制することができる。
【００３８】
好ましくは、前記絡み防止部材は、弾性部材であって、前記耳当接部の前端部を前記テンプル側へ押し付ける弾性力を作用させる姿勢と、前記耳当接部の前端部を前記テンプルから離間させる弾性力を作用させる姿勢とに切り替わるように構成される。
【００３９】
この場合、絡み防止部材が弾性部材で形成されており、耳当接部の前端部がテンプル側に押し付けられる姿勢と、耳当接部の前端部がテンプルから離間した位置で保持される姿勢とに切り替え可能となる。従って、耳当接部の前端部がテンプルから離間した位置で保持された状態にすることにより、前枠と絡み防止部材の後端部との距離が広げられた状態となるため、使用者が眼鏡を掛ける際、耳当接部が邪魔になることなく（耳当接部を手で押さえておくことなく）容易に装着することができる。そして、耳に当接することによって、絡み防止部材の姿勢が、耳当接部の前端部をテンプル側へ押し付ける弾性力を作用させる姿勢へと切り替わり、耳当接部の後端部がしっかりと耳の裏側に当接可能となる。
【００４０】
このように、絡み防止部材がその弾性力によって耳当接部の姿勢を切り替えることができるため、眼鏡をより容易に装着することができ、かつ、眼鏡のずれ落ちをより効果的に抑制することができる。
【００４１】
さらに、前記内掛眼鏡フレームにおいて、前記左右一対の筒状部材を更に備えている場合には、該内掛眼鏡フレームを取り付けた眼鏡を装着した状態において、前記眼鏡取り付け具を具備する眼鏡フレームによって、該筒状部材を安定させることができ、それだけ効果的に防塵機能を高めることができる。
【００４２】
また、本発明に係る第２の眼鏡フレームセットによれば、前記眼鏡フレームにおいて、眼鏡を掛けた状態で、前枠がずれ落ちようとすると、前枠に延出されたテンプルの後部はずれ上がろうとし、テンプルの後部に取り付けられた耳当て部材の耳当接部を上方へ移動させようとする。そして、耳当て部材の耳当接部が上方へ移動しようとすると、耳当て部材の耳当接部は軸部材を中心として前回り方向へ回転しようとする。この時、耳当接部の前端部が耳の裏側を押圧する力が大きくなり、その結果、耳当接部と耳の裏側との相対的な移動が阻止され、テンプルの後部のずれ上がりが阻止される。このようにして、眼鏡のずれ落ちを防止することができる。
【００４３】
一方、可撓性の絡み防止部材がテンプルの耳当て部材が取り付けられた部位より前方にある所定部と耳当接部の前端部とを連結するように取り付けられており、眼鏡を外す際に、テンプルを上方へ持ち上げてもテンプルと耳当接部の前端部との間が絡み防止部材で塞がれているため、髪の毛がテンプルと耳当て部材との取り付け部位に入り込みにくく、これに絡まることが抑制される。また、絡み防止部材は、可撓性を有しており、耳当て部材の揺動を阻害することがないため、上記眼鏡のずれ落ち抑制の機能を阻害することもない。
【００４４】
このように、可撓性の絡み防止部材によってテンプルの耳当て部材が取り付けられた部位より前方にある所定部と前記耳当て部材の耳当接部の前端部とを連結することにより、鼻に掛かる負担を大きくすることなく眼鏡のずれ落ちを防止できるとともに、眼鏡を外す際に髪の毛の眼鏡への絡みを抑制することができる。
【００４５】
また、絡み防止部材が弾性部材で形成されており、耳当接部の前端部がテンプル側に押し付けられる姿勢と、耳当接部の前端部がテンプルから離間した位置で保持される姿勢とに切り替え可能となる。従って、耳当接部の前端部がテンプルから離間した位置で保持された状態にすることにより、前枠と絡み防止部材の後端部との距離が広げられた状態となるため、使用者が眼鏡を掛ける際、耳当て部材が邪魔になることなく（耳当て部材を手で押さえておくことなく）容易に装着することができる。そして、耳に当接することによって、絡み防止部材の姿勢が、耳当接部の前端部をテンプル側へ押し付ける弾性力を作用させる姿勢へと切り替わり、耳当接部の後端部がしっかりと耳の裏側に当接可能となる。
【００４６】
このように、絡み防止部材がその弾性力によって耳当接部の姿勢を切り替えることができるため、眼鏡をより容易に装着することができ、かつ、眼鏡のずれ落ちをより効果的に抑制することができる。
【００４７】
さらに、前記内掛眼鏡フレームにおいて、前記左右一対の筒状部材を更に備えている場合には、該内掛眼鏡フレームを取り付けた眼鏡を装着した状態において、斯かる構成の眼鏡フレームによって、該筒状部材を安定させることができ、それだけ効果的に防塵機能を高めることができる。
【００４８】
本発明に係る第１及び第２の眼鏡フレームセットにおいて、前記内掛眼鏡フレームのブリッジ部及び前記眼鏡フレームのブリッジ部の互いに対向する所定部位に着磁手段（例えば、磁性体と磁石とからなる着磁手段や、一対の磁石からなる着磁手段）が設けられていてもよい。こうすることで、内掛眼鏡フレームを眼鏡フレームに簡単且つ確実に取り付けることが可能である。この場合、例えば、次の態様を例示できる。即ち、
（ａ）前記内掛眼鏡フレームのブリッジ部が前方に突設する突出部を有しており、該突出部下面に磁性体及び磁石のうち一方（好ましくは磁石）が設けられ、前記眼鏡フレームのブリッジ部上面の、前記突出部における磁性体及び磁石のうち一方（好ましくは磁石）が設けられている部位に対応する部位に他方（好ましくは磁性体）が設けられる態様、
（ｂ）前記内掛眼鏡フレームのブリッジ部が前方に突設する突出部を有しており、該突出部上面に磁性体及び磁石のうち一方（好ましくは磁石）が設けられ、前記眼鏡フレームのブリッジ部下面の、前記突出部における磁性体及び磁石のうち一方（好ましくは磁石）が設けられている部位に対応する部位に他方（好ましくは磁性体）が設けられる態様、
（ｃ）前記内掛眼鏡フレームのブリッジ部が前方に突設する突出部を有しており、該突出部下面に一対の磁石のうち一方の磁石が設けられ、前記眼鏡フレームのブリッジ部上面の、前記突出部における一対の磁石のうち一方の磁石が設けられている部位に対応する部位に他方の磁石が該一方の磁石と極性が異なるように設けられる態様、
（ｄ）前記内掛眼鏡フレームのブリッジ部が前方に突設する突出部を有しており、該突出部上面に一対の磁石のうち一方の磁石が設けられ、前記眼鏡フレームのブリッジ部下面の、前記突出部における一対の磁石のうち一方の磁石が設けられている部位に対応する部位に他方の磁石が該一方の磁石と極性が異なるように設けられる態様である。
【００４９】
なお、前記眼鏡フレームのブリッジ部に磁性体又は磁石が設けられる場合、該眼鏡フレームのブリッジ部全体が磁性体又は磁石で形成されていてもよい。また、前記内掛眼鏡フレームのブリッジ部における前記突出部に磁石又は磁性体が設けられる場合、該突出部全体が磁石又は磁性体で形成されていてもよい。
【発明の効果】
【００５０】
以上説明したように本発明によると、ＴＰＯに応じて外観を容易に変更可能で且つ興趣性に優れた内掛眼鏡フレーム及び眼鏡フレームセットを提供することができる。
【発明を実施するための最良の形態】
【００５１】
以下、添付図面を参照しつつ、本発明の第１から第３実施形態について説明する。
【００５２】
（第１実施形態について）
図１は本発明の第１実施形態に係る眼鏡フレームセット３００を示す概略斜視図であって、図１（Ａ）は本発明の第１実施形態に係る内掛眼鏡フレーム２００が眼鏡フレーム１００から取り外された状態を示す図であり、図１（Ｂ）は該内掛眼鏡フレーム２００が眼鏡フレーム１００に取り付けられた状態を示す図である。また、図２は図１に示す内掛眼鏡フレーム２００の眼鏡フレーム１００への係合作用を説明するための図であって、図２（Ａ）は該内掛眼鏡フレーム２００の正面図であり、図２（Ｂ）は該眼鏡フレーム１００の正面図であり、図２（Ｃ）は該眼鏡フレーム１００の前枠１１０部分の平面図である。なお、図１及び図２並びに後述する各図において、左右一対の部材は互いに左右対称になっている以外は、実質的に同じ構成作用を有するものであることから、同じ参照符号を付してある。
【００５３】
図１に示す眼鏡フレームセット３００は、眼鏡フレーム１００と、内掛眼鏡フレーム２００とを具備している。
【００５４】
眼鏡フレーム１００は、図１、図２（Ｂ）及び図２（Ｃ）に示すように、左右一対のレンズＬ，Ｌを保持する前枠１１０と、該前枠１１０の両端からそれぞれ後方に延出する左右一対のテンプル１２０，１２０と、前枠１１０の両端部でテンプル１２０，１２０を開閉させるための左右一対の蝶番１３０，１３０とを具備するものである。
【００５５】
また、眼鏡フレーム１００を構成する前枠１１０には、該前枠１１０と該前枠１１０に設けられた左右一対の鼻当て用のパッド１４０，１４０との間にそれぞれ介在する左右一対のクリングス１５０，１５０が設けられている。
【００５６】
内掛眼鏡フレーム２００は、図１及び図２（Ａ）に示すように、眼鏡フレーム１００に対して着脱自在に取り付けられる、テンプルを具備しないものであり、眼鏡フレーム１００に対して取り付けられた状態において（図１（Ｂ）参照）、前枠１１０の後面に重ね合わされる左右一対のリム２１０，２１０と、該左右一対のリム２１０，２１０を連結するブリッジ部２２０とを備えている。なお、内掛眼鏡フレーム２００を構成する左右一対のリム２１０，２１０とは、所謂、眼鏡フレームにおけるレンズを嵌め込むためのリムと同等の形態を有する部材を意味する。後述する第２及び第３実施形態に係る内掛眼鏡フレーム２００Ａ，２００Ｘの左右一対のリム２１０Ａ，２１０Ａ及び２１０Ｘ，２１０Ｘについても同様である。
【００５７】
内掛眼鏡フレーム２００を構成するブリッジ部２２０は、該内掛眼鏡フレーム２００が眼鏡フレーム１００に対して取り付けられた状態において、眼鏡フレーム１００におけるクリングス１５０，１５０に支持されるものであり、本実施形態では、内掛眼鏡フレーム２００を構成するブリッジ部２２０において、左右一対のクリングス１５０，１５０にそれぞれ係合する左右一対の係合部２３０，２３０が設けられている。
【００５８】
さらに具体的に説明すると、内掛眼鏡フレーム２００の少なくともブリッジ部２２０（本実施形態では内掛眼鏡フレーム２００全体）が可撓性を有する部材（可撓性を有する樹脂材料や金属材料の他、可撓性を有するものであれば、いずれの材料を採用してもよい）で形成されており、図２に示すように、内掛眼鏡フレーム２００の左右一対のリム２１０，２１０間の左右方向の最小の距離ｄ１（図２（Ａ）参照）が眼鏡フレーム１００のクリングス１５０，１５０における、内掛眼鏡フレーム２００のブリッジ部２２０を支持する左右方向の支持端部１５１，１５１間の距離ｄ２（図２（Ｂ）及び図２（Ｃ）参照）より小さく設定されている一方、内掛眼鏡フレーム２００のブリッジ部２２０の左右一対のリム２１０，２１０との下方の付け根部分でそれぞれ眼鏡フレーム１００のクリングス１５０，１５０における前記支持端部１５１，１５１をそれぞれ保持する左右一対の保持部２３１，２３１であって、該支持端部１５１，１５１の形状に対応する凹溝状に形成された保持部２３１，２３１が設けられており、該左右一対の保持部２３１，２３１間の左右方向の最大の距離ｄ２’（図２（Ａ）参照）が眼鏡フレーム１００のクリングス１５０，１５０における前記支持端部１５１，１５１間の距離ｄ２と略同等に設定されている。なお、左右一対のリム２１０，２１０は、本実施形態では、枠だけの状態であるが、透明部材やサングラスのような遮光部材等の光透過性部材が嵌め込まれていてもよい。
【００５９】
この内掛眼鏡フレーム２００では、該内掛眼鏡フレーム２００が眼鏡フレーム１００に取り付けられる際には、内掛眼鏡フレーム２００の左右一対のリム２１０，２１０がそれぞれ眼鏡フレーム１００のクリングス１５０，１５０の前記支持端部１５１，１５１に上方から配設される。このとき、内掛眼鏡フレーム２００のブリッジ部２２０に付勢力が作用していない状態となっており、一対のリム２１０，２１０間の左右方向の最小距離ｄ１が眼鏡フレーム１００のクリングス１５０，１５０における前記支持端部１５１，１５１間の距離ｄ２より小さく設定されている。この状態で、内掛眼鏡フレーム２００全体を上下方向（図１中矢印Ｘ方向）の該内掛眼鏡フレーム２００のブリッジ部２２０がクリングス１５０，１５０に近づく方向（図１中矢印Ｘ１方向（下方））に向けて移動させれば、リム２１０，２１０がクリングス１５０，１５０の前記支持端部１５１，１５１に沿って該方向Ｘ１に移動することで、内掛眼鏡フレーム２００のブリッジ部２２０が撓みつつ一対のリム２１０，２１０間の距離ｄ１が拡がり、或いは／さらに、一対のリム２１０，２１０間の距離ｄ１が拡がるように外力によって（例えば、両リム２１０，２１０を両手で（図１（Ａ）中矢印Ａ方向に）拡開することによって）内掛眼鏡フレーム２００のブリッジ部２２０を撓ませつつ内掛眼鏡フレーム２００全体を下方Ｘ１に向けて移動させれば、当該リム２１０，２１０間の左右方向の距離を有する隙間を眼鏡フレーム１００のクリングス１５０，１５０の前記支持端部１５１，１５１間が通過可能となり、これによりクリングス１５０，１５０の前記支持端部１５１，１５１が内掛眼鏡フレーム２００のブリッジ部２２０の左右一対のリム２１０，２１０との下方の付け根部分にそれぞれ設けられた左右一対の保持部２３１，２３１に保持される。そして、当該クリングス１５０，１５０が前記隙間を通過した後には、内掛眼鏡フレーム２００のブリッジ部２２０が元の状態（付勢力が作用していない状態）に戻る。この状態においては、一対のリム２１０，２１０間の距離ｄ１がクリングス１５０，１５０の前記支持端部１５１，１５１間の距離ｄ２より小さくなるため、当該リム２１０，２１０間の距離ｄ１を有する隙間から眼鏡フレーム１００のクリングス１５０，１５０が抜け難くなり、こうして眼鏡フレーム１００に内掛眼鏡フレーム２００が簡単に且つ安定した状態を維持しつつ確実に取り付けられ得る。
【００６０】
一方、内掛眼鏡フレーム２００が眼鏡フレーム１００から取り外される際には、内掛眼鏡フレーム２００全体を上下方向Ｘの該内掛眼鏡フレーム２００のブリッジ部２２０がクリングス１５０，１５０から離間する方向（図１中矢印Ｘ２方向（上方））に向けて移動させることにより、リム２１０，２１０がクリングス１５０，１５０の前記支持端部１５１，１５１に沿って該方向Ｘ２に移動することで、内掛眼鏡フレーム２００のブリッジ部２２０が撓みつつ一対のリム２１０，２１０間の距離ｄ１が拡がり、或いは／さらに、一対のリム２１０，２１０間の距離ｄ１が拡がるように外力によって（例えば、両リム２１０，２１０を両手で（図１中矢印Ａ方向に）拡開することによって）内掛眼鏡フレーム２００のブリッジ部２２０を撓ませつつ内掛眼鏡フレーム２００全体を上方Ｘ２に向けて移動させることにより、当該リム２１０，２１０間の左右方向の距離を有する隙間を眼鏡フレーム１００のクリングス１５０，１５０の前記支持端部１５１，１５１間が通過可能となり、こうして眼鏡フレーム１００から内掛眼鏡フレーム２００が簡単に取り外され得る。
【００６１】
このように第１実施形態に係る内掛眼鏡フレーム２００では、眼鏡フレーム１００に対して取り付けられるにあたり、左右一対のリム２１０，２１０を連結するブリッジ部２２０が、眼鏡フレーム１００を構成する前枠１１０と該前枠１１０に設けられた左右一対の鼻当て用のパッド１４０，１４０との間にそれぞれ介在する左右一対のクリングス１５０，１５０に支持されるので、ＴＰＯに応じて外観を容易に変更することができる。さらに、眼鏡フレーム１００に対して取り付けられた状態において、左右一対のリム２１０，２１０が眼鏡フレーム１００を構成する前枠１１０の後面に重ね合わされるので、該眼鏡フレーム１００の前枠１１０が該左右一対のリム２１０，２１０に隠蔽されることがなく、眼鏡フレーム１００自身のデザインが生かされ易く、これにより興趣性を向上させることができる上、眼鏡フレーム１００自身のデザインに合わせたデザインにすることができる。
【００６２】
また、内掛眼鏡フレーム２００を構成するブリッジ部２２０には、クリングス１５０，１５０に係合する係合部２３０，２３０が設けられているので、該係合部２３０，２３０のクリングス１５０，１５０への係合によって、該内掛眼鏡フレーム２００のブリッジ部２２０が、該クリングス１５０，１５０に対して確実に装着され得る。これにより、内掛眼鏡フレーム２００が眼鏡フレーム１００から脱落し難くすることができる。
【００６３】
また、第１実施形態に係る内掛眼鏡フレーム２００において、図３及び図４に示す如く、左右一対の筒状部材２４０，２４０を備えていてもよい。なお、この筒状部材２４０，２４０は、第１実施形態のような内掛眼鏡フレームだけでなく、後述する第２及び第３実施形態のような内掛眼鏡フレームにおいて備えていてもよい。
【００６４】
図３は第１実施形態に係る内掛眼鏡フレーム２００に設けられる左右一対の筒状部材２４０，２４０を示す図であって、該内掛眼鏡フレーム２００に取り付けられた状態の筒状部材２４０，２４０の平面図である。また、図４は左右一対の筒状部材２４０，２４０を具備する内掛眼鏡フレーム２００が眼鏡フレーム１００に取り付けられた状態を示す背面図である。なお、図３において、内掛眼鏡フレーム２００及び筒状部材２４０，２４０は、前方が図中下方に向けられた状態を示している。
【００６５】
図３及び図４に示すように、左右一対の筒状部材２４０，２４０は、内掛眼鏡フレーム２００を構成する左右一対のリム２１０，２１０後方（図３中リム２１０，２１０上方）にそれぞれ配設され、少なくとも後方周縁部が弾性体から形成されたものである。
【００６６】
さらに説明すると、本実施形態では、内掛眼鏡フレーム２００と左右一対の筒状部材２４０，２４０とが一体的に形成されている。このように一体的に形成される内掛眼鏡フレーム２００及び左右一対の筒状部材２４０，２４０は種々の材料から形成可能であるが、成形容易であることが好ましいため、例えば、ポリカーボネート樹脂やアクリル樹脂などから形成される。
【００６７】
以上のように、左右一対の筒状部材２４０，２４０を備えた内掛眼鏡フレーム２００では、該内掛眼鏡フレーム２００の左右一対のリム２１０，２１０後方にそれぞれ位置する左右一対の筒状部材２４０，２４０を備えるため、内掛眼鏡フレーム２００を取り付けた眼鏡（レンズＬ，Ｌを具備する眼鏡フレーム１００）を装着した場合、該眼鏡を構成するレンズＬ，Ｌと筒状部材２４０，２４０とによって眼の周囲は覆われ、防塵機能を奏することになる。特に、内掛眼鏡フレーム２００の左右一対のリム２１０，２１０に透明部材やサングラスのような遮光部材等の光透過性部材が嵌め込まれている場合には、当該内掛眼鏡フレームの光透過性部材と筒状部材２４０，２４０とによって眼の周囲は覆われ易く、それだけ防塵機能を高めることができる。
【００６８】
なお、左右一対の筒状部材２４０，２４０を備えた内掛眼鏡フレーム２００は、透明な材料から形成され、筒状部材２４０，２４０の前方開口部を閉塞する眼鏡部材を備えていてもよい。この眼鏡部材としては、透明である限りにおいて種々の材料から形成することが可能であり、例えば、ポリカーボネート樹脂やアクリル樹脂などから形成され得る。このように、筒状部材２４０，２４０の前方開口部を閉塞する眼鏡部材を備えていると、筒状部材２４０，２４０の前方開口部から花粉や粉塵等が筒状部材２４０，２４０内部に進入することがなく、防塵機能を更に向上させることが可能である。また、前記眼鏡部材が透明な材料から形成されることで、眼鏡の視認性を損なうこともない
【００６９】
さらに、筒状部材２４０，２４０は、図４に示すように、後方周縁部２４０ａ，２４０ａから外方又は内方に向けて（本実施形態では内方且つ左右方向両端部において外方に向けて）平面状に突設され、弾性体から形成された鍔部２４３，２４３を備えている。従って、内掛眼鏡フレーム２００を取り付けた眼鏡（レンズＬ，Ｌを具備する眼鏡フレーム１００）を装着した場合、平面状に突設された鍔部２４３，２４３に顔部が当接することになる。即ち、筒状部材２４０，２４０と顔部とが鍔部２４３，２４３で面接触することになるため、顔部への密着性が高まり防塵機能をより一層向上させることができると共に、使用者が違和感をより一層感じ難いという利点を有する。
【００７０】
なお、本実施形態では、内掛眼鏡フレーム２００と左右一対の筒状部材２４０，２４０とが一体的に形成されているが、左右一対の筒状部材２４０，２４０が内掛眼鏡フレーム２００に対して離間可能に取付られてもよい。
【００７１】
また、第１実施形態に係る内掛眼鏡フレーム２００は、上半分のみリムが設けられたハーフリムタイプのフレームとしているが、下半分にのみリムが設けられたハーフリムタイプのフレームとしてもよいし、必ずしもハーフリムタイプのフレームに限るものではなく、フルリムタイプのフレームとすることも可能である。
【００７２】
（第２実施形態について）
図５及び図６は本発明の第２実施形態に係る眼鏡フレームセット３００’の概略構成を示す図であって、図５（Ａ）は本発明の第２実施形態に係る内掛眼鏡フレームの一例２００Ａが眼鏡フレーム１００’から取り外された状態を示す平面図（眼鏡フレーム１００’のテンプル１２０’，１２０’については一部図示を省略）であり、図５（Ｂ）は該内掛眼鏡フレーム２００Ａが眼鏡フレーム１００’に取り付けられた状態を示す平面図であり、また、図６（Ａ）は本発明の第２実施形態に係る内掛眼鏡フレームの一例２００Ａが眼鏡フレーム１００’から取り外された状態を示す正面図であり、図６（Ｂ）は該内掛眼鏡フレーム２００Ａが眼鏡フレーム１００’に取り付けられた状態を示す正面図である。さらに、図７は本発明の第２実施形態に係る内掛眼鏡フレームの一例２００Ａの一部断面を拡大して示す図であって、図７（Ａ）は図５（Ｂ）のＡＡ矢視断面拡大図であり、図７（Ｂ）は図５（Ａ）のＢＢ矢視断面拡大図であり、図７（Ｃ）は該内掛眼鏡フレーム２００Ａが眼鏡フレーム１００’に取り付けられる際における図７（Ｂ）に示す状態から図７（Ａ）に示す状態への遷移過程を示す断面拡大図であり、図７（Ｄ）は該内掛眼鏡フレーム２００Ａが眼鏡フレーム１００’から取り外される際における図７（Ａ）に示す状態から図７（Ｂ）に示す状態への遷移過程を示す断面拡大図であり、図７（Ｅ）は図５（Ｂ）のＣＣ矢視断面拡大図である。なお、図５（Ａ）及び図５（Ｂ）において、眼鏡フレーム１００’及び内掛眼鏡フレーム２００Ａは、前方が図中上方に向けられた状態を示している。また、図７（Ａ）から図７（Ｄ）において、眼鏡フレーム１００’のブリッジ部１１１’及び内掛眼鏡フレーム２００Ａのブリッジ部２２０Ａは、前方が図中右方に向けられた状態を示しており、図７（Ｅ）において、眼鏡フレーム１００’の前枠１１０’及び内掛眼鏡フレーム２００Ａのリム２１０Ａは、前方が図中右方に向けられた状態を示している。
【００７３】
図５及び図６に示す眼鏡フレームセット３００’は、眼鏡フレーム１００’と、内掛眼鏡フレーム２００Ａとを具備している。
【００７４】
眼鏡フレーム１００’は、左右一対のレンズＬ’，Ｌ’を保持する前枠１１０’と、該前枠１１０’の両端からそれぞれ後方に延出する左右一対のテンプル１２０’，１２０’と、前枠１１０’の両端部でテンプル１２０’，１２０’を開閉させるための左右一対の蝶番１３０’，１３０’とを具備するものである。
【００７５】
また、眼鏡フレーム１００’を構成する前枠１１０’には、該前枠１１０’と該前枠１１０’に設けられた左右一対の鼻当て用のパッド１４０’，１４０’との間にそれぞれ介在する左右一対のクリングス１５０’，１５０’が設けられている。
【００７６】
内掛眼鏡フレーム２００Ａは、眼鏡フレーム１００’に対して着脱自在に取り付けられる、テンプルを具備しないものであり、眼鏡フレーム１００’に対して取り付けられた状態において、前枠１１０’の後面に重ね合わされる左右一対のリム２１０Ａ，２１０Ａと、該左右一対のリム２１０Ａ，２１０Ａを連結するブリッジ部２２０Ａとを備えている。
【００７７】
内掛眼鏡フレーム２００Ａを構成するブリッジ部２２０Ａは、該内掛眼鏡フレーム２００Ａが眼鏡フレーム１００’に対して取り付けられた状態において、眼鏡フレーム１００’におけるクリングス１５０’，１５０’に支持されるように構成されており、図６（Ａ）に示すように、該クリングス１５０’，１５０’にそれぞれ当接して支持される左右一対の支持部２３０Ａ，２３０Ａを有している。
【００７８】
また、内掛眼鏡フレーム２００Ａを構成するブリッジ部２２０Ａは、図７（Ａ）から図７（Ｄ）に示すように、眼鏡フレーム１００’を構成する前枠１１０’のブリッジ部１１１’後面１１１ａ’の形状に対応する凹溝２２１Ａａが前面に形成されたブリッジ部本体２２１Ａと、ブリッジ部本体２２１Ａの凹溝２２１Ａａの上端から前方に向けて延設された延設部２２２Ａと、凹溝２２１Ａａと前後方向に対向するように延設部２２２Ａの前端部から下方に延設され、前後方向に撓むことが可能な可撓性部材（可撓性を有する樹脂材料や金属材料の他、可撓性を有するものであれば、いずれの材料を採用してもよい）からなる係止部２２３Ａとを備えている。
【００７９】
そして、係止部２２３Ａに付勢力が作用していない状態（図７（Ｂ）の状態）において、ブリッジ部本体２２１Ａと係止部２２３Ａの下端部との前後方向の最小の間隔Ｔ１が、眼鏡フレーム１００’のブリッジ部１１１’の前後方向の厚みＴよりも小さく設定されている一方、凹溝２２１Ａａの底部と係止部２２３Ａとの前後方向の間隔Ｔ２は、眼鏡フレーム１００’のブリッジ部１１１’の前後方向の厚みＴと略同等に設定されている。
【００８０】
このように第２実施形態に係る内掛眼鏡フレーム２００Ａでは、眼鏡フレーム１００’に対して取り付けられるにあたり、左右一対のリム２１０Ａ，２１０Ａを連結するブリッジ部２２０Ａが、眼鏡フレーム１００’を構成する前枠１１０’と該前枠１１０’に設けられた左右一対の鼻当て用のパッド１４０’，１４０’との間にそれぞれ介在する左右一対のクリングス１５０’，１５０’に支持部２３０Ａ，２３０Ａで当接されて支持されるので、ＴＰＯに応じて外観を容易に変更することができる。さらに、眼鏡フレーム１００’に対して取り付けられた状態において、左右一対のリム２１０Ａ，２１０Ａが眼鏡フレーム１００’を構成する前枠１１０’の後面に重ね合わされるので、該眼鏡フレーム１００’の前枠１１０’が該左右一対のリム２１０Ａ，２１０Ａに隠蔽されることがなく、眼鏡フレーム１００’自身のデザインが生かされ易く、これにより興趣性を向上させることができる上、眼鏡フレーム１００’自身のデザインに合わせたデザインにすることができる。
【００８１】
さらに、内掛眼鏡フレーム２００Ａが眼鏡フレーム１００’に取り付けられた状態（図７（Ａ）の状態）においては、眼鏡フレーム１００’のブリッジ部１１１’後面１１１ａ’が内掛眼鏡フレーム２００Ａのブリッジ部本体２２１Ａの凹溝２２１Ａａに嵌め込まれ、眼鏡フレーム１００’のブリッジ部１１１’前面１１１ｂ’が係止部２２３Ａの後面で係止される状態で、延設部２２２Ａが眼鏡フレーム１００’のブリッジ部１１１’に下方から支持されることになる。従って、内掛眼鏡フレーム２００Ａのブリッジ部２２０Ａの前後方向及び下方向への動きが、眼鏡フレーム１００’のブリッジ部１１１’によって規制されることになり、内掛眼鏡フレーム２００Ａを眼鏡フレーム１００’に確実に取り付けることが可能である。
【００８２】
また、内掛眼鏡フレーム２００Ａが眼鏡フレーム１００’に取り付けられる際（図７（Ｃ）参照）には、内掛眼鏡フレーム２００Ａの延設部２２２Ａを眼鏡フレーム１００’のブリッジ部１１１’の上方に配設した後、内掛眼鏡フレーム２００Ａを下方（図７（Ｃ）の矢符の方向）へ移動させればよい。これにより、眼鏡フレーム１００’のブリッジ部１１１’が内掛眼鏡フレーム２００Ａの係止部２２３Ａの下端部に当接し、係止部２２３Ａが前方（図７（Ｃ）の白抜き矢符の方向）に向けて付勢されて撓む（図７（Ｃ）の破線で示す状態から実線で示す状態に遷移する）ため、ブリッジ部本体２２１Ａと係止部２２３Ａの下端部との前後方向の間隔が拡がり、当該間隔を有する隙間を眼鏡フレーム１００’のブリッジ部１１１’が容易に通過することになる。そして、眼鏡フレーム１００’のブリッジ部１１１’が前記隙間を通過した後には、係止部２２３Ａが元の状態（付勢力が作用していない状態）に戻り、ブリッジ部本体２２１Ａと係止部２２３Ａの下端部との前後方向の最小の間隔が眼鏡フレーム１００’のブリッジ部１１１’の前後方向の厚みＴよりも小さくなるため、当該間隔を有する隙間から眼鏡フレーム１００’のブリッジ部１１１’が抜け難くなる。
【００８３】
一方、内掛眼鏡フレーム２００Ａが眼鏡フレーム１００’から取り外される際（図７（Ｄ）参照）には、内掛眼鏡フレーム２００Ａの前方が上方に移動するように回動（図７（Ｄ）の矢符Ｘの方向に回動）しながら内掛眼鏡フレーム２００Ａの全体を上方（図７（Ｄ）の矢符Ｙの方向）へ移動させることにより、眼鏡フレーム１００’のブリッジ部１１１’後面１１１ａ’が内掛眼鏡フレーム２００Ａのブリッジ部本体２２１Ａの凹溝２２１Ａａから抜けると共に、眼鏡フレーム１００’のブリッジ部１１１’が内掛眼鏡フレーム２００Ａの係止部２２３Ａの下端部に当接し、係止部２２３Ａが前方（図７（Ｄ）の白抜き矢符の方向）に向けて付勢されて撓む（図７（Ｄ）の破線で示す状態から実線で示す状態に遷移する）ため、ブリッジ部本体２２１Ａと係止部２２３Ａの下端部との前後方向の間隔が拡がり、当該間隔を有する隙間から眼鏡フレーム１００’のブリッジ部１１１’が容易に抜けることになる。
【００８４】
なお、第２実施形態に係る内掛眼鏡フレーム２００Ａは、好ましい構成として、係止部２２３Ａの下端部前面２２３Ａａが、上方から下方に向けてブリッジ部本体２２１Ａから離間する方向に湾曲した曲面形状とされている。
【００８５】
斯かる好ましい構成により、眼鏡フレーム１００’のブリッジ部１１１’を内掛眼鏡フレーム２００Ａのブリッジ部本体２２１Ａと係止部２２３Ａの下端部との隙間に挿脱する際（図７（Ｃ）及び図７（Ｄ）参照）に、湾曲した曲面形状に沿って眼鏡フレーム１００’のブリッジ部１１１’を移動させることができるため、内掛眼鏡フレーム２００Ａの着脱動作をスムーズに行うことができるという利点を有する。
【００８６】
また、第２実施形態に係る内掛眼鏡フレーム２００Ａは、好ましい構成として、図６（Ａ）に示すように、該内掛眼鏡フレーム２００Ａの左右方向両端部の前面に、眼鏡フレーム１００’の左右方向両端部の後面の形状に対応する凹溝２４０Ａ，２４０Ａが設けられている。
【００８７】
斯かる好ましい構成により、内掛眼鏡フレーム２００Ａが眼鏡フレーム１００’に取り付けられた際に、凹溝２４０Ａ，２４０Ａに眼鏡フレーム１００’の左右方向両端部後面が係合（図７（Ｅ）参照）することになり、より一層確実に内掛眼鏡フレーム２００Ａを眼鏡フレーム１００’に取り付けることが可能である。
【００８８】
なお、第２実施形態に係る内掛眼鏡フレームとしては、以上に説明した構成に限られるものではなく、例えば、図８に示すように、ブリッジ部について種々の変更した構成を採用することが可能である。
【００８９】
図８は、第２実施形態に係る内掛眼鏡フレームの他の例２００Ｂ，２００Ｃ，２００Ｄ，２００Ｅのブリッジ部断面を拡大して示す図である。なお、図８において、内掛眼鏡フレーム２００Ｂ、２００Ｃ，２００Ｄ，２００Ｅのブリッジ部２２０Ｂ，２２０Ｃ，２２０Ｄ，２２０Ｅは、図７と同様、前方が図中右方に向けられた状態を示している。
【００９０】
図８（Ａ）に示すブリッジ部２２０Ｂは、図７を参照して説明したブリッジ部２２０Ａの上下を反転させた構成である。より具体的に説明すれば、ブリッジ部２２０Ｂは、眼鏡フレーム１００’を構成する前枠１１０’のブリッジ部１１１’後面１１１ａ’の形状に対応する凹溝２２１Ｂａが前面に形成されたブリッジ部本体２２１Ｂと、ブリッジ部本体２２１Ｂの凹溝２２１Ｂａの下端から前方に向けて延設された延設部２２２Ｂと、凹溝２２１Ｂａと前後方向に対向するように延設部２２２Ｂの前端部から上方に延設され、前後方向に撓むことが可能な可撓性部材からなる係止部２２３Ｂとを備え、係止部２２３Ｂに付勢力が作用していない状態において、ブリッジ部本体２２１Ｂと係止部２２３Ｂの上端部との前後方向の最小の間隔Ｔ１が、眼鏡フレーム１００’のブリッジ部１１１’の前後方向の厚みＴ（図７参照）よりも小さく設定されている一方、凹溝２２１Ｂａの底部と係止部２２３Ｂとの前後方向の間隔Ｔ２は、眼鏡フレーム１００’のブリッジ部１１１’の前後方向の厚みＴと略同等に設定されている。
【００９１】
図８（Ａ）に示すブリッジ部２２０Ｂを備えた第２実施形態に係る内掛眼鏡フレームの他の例２００Ｂでは、着脱動作の方向が、図７に示すブリッジ部２２０Ａを備えた内掛眼鏡フレーム２００Ａとは上下に反転する点を除き、略同等の作用効果を奏する。但し、図８（Ａ）に示すブリッジ部２２０Ｂは上方が開口している構成であるため、図７に示すブリッジ部２２０Ａに比べれば、内掛眼鏡フレームが自重によって下方向へ移動しようとする動きを阻止する機能が劣ることになる。従って、図８（Ａ）に示すブリッジ部２２０Ｂは、比較的軽量の内掛眼鏡フレームに採用することが好ましい。
【００９２】
図８（Ｂ）に示すブリッジ部２２０Ｃは、図７を参照して説明したブリッジ部２２０Ａのブリッジ部本体２２１Ａに形成された凹溝２２１Ａａを、ブリッジ部本体ではなく係止部に形成した構成である。より具体的に説明すれば、ブリッジ部２２０Ｃは、ブリッジ部本体２２１Ｃと、ブリッジ部本体２２１Ｃの上端部から前方に向けて延設された延設部２２２Ｃと、ブリッジ部本体２２１Ｃと対向するように延設部２２２Ｃの前端部から下方に延設され、前後方向に撓むことが可能な可撓性部材からなる係止部２２３Ｃとを備え、係止部２２３Ｃの上端部後面には、眼鏡フレーム１００’を構成する前枠１１０’のブリッジ部１１１’前面１１１ｂ’の形状に対応する凹溝２２３Ｃａが形成され、係止部２２３Ｃに付勢力が作用していない状態において、ブリッジ部本体２２１Ｃと係止部２２３Ｃの下端部との前後方向の最小の間隔Ｔ１が、眼鏡フレーム１００’のブリッジ部１１１’の前後方向の厚みＴ（図７参照）よりも小さく設定されている一方、凹溝２２３Ｃａの底部とブリッジ部本体２２１Ｃとの前後方向の間隔Ｔ２は、眼鏡フレーム１００’のブリッジ部１１１’の前後方向の厚みＴと略同等に設定されている。
【００９３】
図８（Ｂ）に示すブリッジ部２２０Ｃを備えた第２実施形態に係る内掛眼鏡フレームのさらに他の例２００Ｃについても、図７に示すブリッジ部２２０Ａを備えた内掛眼鏡フレーム２００Ａと略同等の作用効果を奏する。
【００９４】
図８（Ｃ）に示すブリッジ部２２０Ｅは、図８（Ｂ）のブリッジ部２２０Ｃの上下を反転させた構成である。より具体的に説明すれば、ブリッジ部２２０Ｄは、ブリッジ部本体２２１Ｄと、ブリッジ部本体２２１Ｄの下端部から前方に向けて延設された延設部２２２Ｄと、ブリッジ部本体２２１Ｄと対向するように延設部２２２Ｄの前端部から上方に延設され、前後方向に撓むことが可能な可撓性部材からなる係止部２２３Ｄとを備え、係止部２２３Ｄの下端部後面には、眼鏡フレーム１００’を構成する前枠１１０’のブリッジ部１１１’前面１１１ｂ’の形状に対応する凹溝２２３Ｄａが形成され、係止部２２３Ｄに付勢力が作用していない状態において、ブリッジ部本体２２１Ｄと係止部２２３Ｄの上端部との前後方向の最小の間隔Ｔ１が、眼鏡フレーム１００’のブリッジ部１１１’の前後方向の厚みＴ（図７参照）よりも小さく設定されている一方、凹溝２２３Ｄａの底部とブリッジ部本体２２１Ｄとの前後方向の間隔Ｔ２は、眼鏡フレーム１００’のブリッジ部１１１’の前後方向の厚みＴと略同等に設定されている。
【００９５】
図８（Ｃ）に示すブリッジ部２２０Ｄを備えた第２実施形態に係る内掛眼鏡フレームのさらに他の例２００Ｄでは、着脱動作の方向が、図８（Ｂ）に示すブリッジ部２２０Ｃを備えた内掛眼鏡フレーム２００Ｃとは上下に反転する点を除き、略同等の作用効果を奏する。但し、図８（Ｃ）に示すブリッジ部２２０Ｄは上方が開口している構成であるため、図７に示すブリッジ部２２０Ａや図８（Ｂ）に示すブリッジ部２２０Ｃに比べれば、内掛眼鏡フレームが自重によって下方向へ移動しようとする動きを阻止する機能が劣ることになる。従って、図８（Ｃ）に示すブリッジ部２２０Ｄについても図８（Ａ）に示すブリッジ部２２０Ｂと同様に、比較的軽量の前掛眼鏡フレームに採用することが好ましい。
【００９６】
図８（Ｄ）に示すブリッジ部２２０Ｅは、眼鏡フレーム１００’を構成する前枠１１０’のブリッジ部１１１’後面１１１ａ’の形状に対応する凹溝２２１Ｅａが前面に形成されたブリッジ部本体２２１Ｅと、ブリッジ部本体２２１Ｅの凹溝２２１Ｅａの上端から前方に向けて延設された第１の係止部２２３Ｅａと、第１の係止部２２３Ｅａと略同等の長さを有し、ブリッジ部本体２２１Ｅの凹溝２２１Ｅａの下端から前方に向けて延設された第２の係止部２２３Ｅｂとを備えている。そして、第１の係止部２２３Ｅａ及び第２の係止部２２３Ｅｂの少なくとも何れか一方は、上下方向に撓むことが可能な可撓性部材からなり、第１の係止部２２３Ｅａ及び第２の係止部２２３Ｅｂに付勢力が作用していない状態において、第１の係止部２２３Ｅａの前端部と第２の係止部２２３Ｅｂの前端部との上下方向の最小の間隔Ｈ１が、眼鏡フレーム１００’のブリッジ部１１１’の上下方向の厚みＨ（図７参照）よりも小さく設定されている一方、第１の係止部２２３Ｅａの後端部と第２の係止部２２３Ｅｂの後端部との上下方向の間隔Ｈ２は、眼鏡フレーム１００’のブリッジ部１１１’の上下方向の厚みＨと略同等に設定されており、なお且つ、第１の係止部２２３Ｅａの後端部又は第２の係止部２２３Ｅｂの後端部の長さと凹溝２２１Ｅａの深さとの和Ｔ３が、眼鏡フレーム１００’のブリッジ部１１１’の前後方向の厚みＴ（図７参照）と略同等に設定されている。
【００９７】
以上の構成により、図８（Ｄ）に示すブリッジ部２２０Ｅを備えた第２実施形態に係る内掛眼鏡フレームのさらに他の例２００Ｅが眼鏡フレーム１００’に取り付けられた状態においては、該眼鏡フレーム１００’のブリッジ部１１１’後面１１１ａ’が該内掛眼鏡フレーム２００Ｅのブリッジ部本体２２１Ｅの凹溝２２１Ｅａに嵌め込まれ、眼鏡フレーム１００’のブリッジ部１１１’上下面が第１の係止部２２３Ｅａと第２の係止部２２３Ｅｂとの間で挟持されることになる。従って、該内掛眼鏡フレーム２００Ｅのブリッジ部２２０Ｅの上下方向及び前方への動きが、眼鏡フレーム１００’のブリッジ部１１１’によって規制されることになり、該内掛眼鏡フレーム２００Ｅを眼鏡フレーム１００’に確実に取り付けることが可能である。
【００９８】
図８（Ｄ）に示すブリッジ部２２０Ｅを備えた内掛眼鏡フレーム２００Ｅが眼鏡フレーム１００’に取り付けられる際には、該内掛眼鏡フレーム２００Ｅの第１の係止部２２３Ｅａと第２の係止部２２３Ｅｂの隙間を眼鏡フレーム１００’のブリッジ部１１１’の後方に配設した後、該内掛眼鏡フレーム２００Ｅを前方（図８の紙面右方向）へ移動させれば、眼鏡フレーム１００’のブリッジ部１１１’が該内掛眼鏡フレーム２００Ｅの第１の係止部２２３Ｅａの前端部の下端及び第２の係止部２２３Ｅｂの前端部の上端に当接し、第１の係止部２２３Ｅａの前端部が上方に向けて付勢されて撓む（第１の係止部２２３Ｅａが可撓性材料からなる場合）か、若しくは第２の係止部２２３Ｅｂの前端部が下方に向けて付勢されて撓む（第２の係止部２２３Ｅｂが可撓性材料からなる場合）か、或いは第１の係止部２２３Ｅａ及び第２の係止部２２３Ｅｂの双方の前端部が撓む（第１の係止部２２３Ｅａ及び第２の係止部２２３Ｅｂの双方が可撓性材料からなる場合）ため、第１の係止部２２３Ｅａの前端部と第２の係止部２２３Ｅｂの前端部との上下方向の間隔が拡がり、当該間隔を有する隙間を眼鏡フレーム１００’のブリッジ部１１１’が通過することになる。そして、眼鏡フレーム１００’のブリッジ部１１１’が前記隙間を通過した後には、第１の係止部２２３Ｅａ若しくは第２の係止部２２３Ｅｂ或いはその双方が元の状態（付勢力が作用していない状態）に戻り、第１の係止部２２３Ｅａの前端部と第２の係止部２２３Ｅｂの前端部との上下方向の最小の間隔が眼鏡フレーム１００’のブリッジ部１１１’の上下方向の厚みＨよりも小さくなるため、当該間隔を有する隙間から眼鏡フレーム１００’のブリッジ部１１１’が抜け難くなる。
【００９９】
一方、該内掛眼鏡フレーム２００Ｅが眼鏡フレーム１００’から取り外される際には、該内掛眼鏡フレーム２００Ｅを後方へ移動させることにより、眼鏡フレーム１００’のブリッジ部１１１’後面１１１ａ’が該内掛眼鏡フレーム２００Ｅのブリッジ部本体２２１Ｅの凹溝２２１Ｅａから抜けると共に、眼鏡フレーム１００’のブリッジ部１１１’が該内掛眼鏡フレーム２００Ｅの第１の係止部２２３Ｅａの前端部及び第２の係止部２２３Ｅｂの前端部に当接し、第１の係止部２２３Ｅａが上方に向けて付勢されて撓むか、若しくは第２の係止部２２３Ｅｂが下方に向けて付勢されて撓むか、或いは第１の係止部２２３Ｅａ及び第２の係止部２２３Ｅｂの双方の前端部が撓むため、第１の係止部２２３Ｅａの前端部と第２の係止部２２３Ｅｂの前端部との上下方向の間隔が拡がり、当該間隔を有する隙間から眼鏡フレーム１００’のブリッジ部１１１’が抜けることになる。
【０１００】
なお、図７及び図８（Ａ）から図８（Ｃ）を参照して説明したブリッジ部２２０Ａ〜２２０Ｄは、係止部のみが可撓性部材からなる構成について説明したが、それに限るものではなく、延設部も可撓性部材から構成し、当該延設部と係止部とを一体的に成形することも可能である。さらには、ブリッジ部本体をも可撓性部材から構成し、当該ブリッジ部本体、延設部及び係止部を一体的に成形してもよい。図８（Ｄ）を参照して説明したブリッジ部２２０Ｅについても同様に、ブリッジ部本体２２１Ｅをも可撓性部材から構成し、ブリッジ部本体２２１Ｅ、第１の係止部２２３Ｅａ及び／又は第２の係止部２２３Ｅｂを一体的に成形してもよい。
【０１０１】
また、第２実施形態に係る内掛眼鏡フレーム２００Ａ〜２００Ｅは、ブリッジ部における支持部２３０Ａ，２３０Ａ（図６（Ａ）参照）に代えて、第１実施形態に係る内掛眼鏡フレーム２００のブリッジ部２２０における係合部２３０，２３０（図２（Ａ）参照）のような係合部が設けられていてもよい。
【０１０２】
また、第２実施形態に係る内掛眼鏡フレーム２００Ａ〜２００Ｅは、フルリムタイプのフレームとしているが、必ずしもフルリムタイプのフレームに限るものではなく、上半分又は下半分にのみリムが設けられたハーフリムタイプのフレームとすることも可能である。
【０１０３】
（第３実施形態について）
図９は本発明の第３実施形態に係る眼鏡フレームセット３００”の概略構成を示す図であって、図９（Ａ）は本発明の第３実施形態に係る内掛眼鏡フレームの一例２００Ｘが眼鏡フレーム１００”に取り外された状態を示す正面図であり、図９（Ｂ）は該内掛眼鏡フレーム２００Ｘが眼鏡フレーム１００”に取り付けられた状態を示す正面図であり、図９（Ｃ）は該内掛眼鏡フレーム２００Ｘが眼鏡フレーム１００”から取り付けられた状態を示す平面図である。また、図１０は本発明の第３実施形態に係る内掛眼鏡フレーム２００Ｘのブリッジ部２２０Ｘ部分及び眼鏡フレーム１００”のブリッジ部１１１”部分の拡大図であって、図１０（Ａ）は該内掛眼鏡フレーム２００Ｘ及び眼鏡フレーム１００”の拡大平面図であり、図１０（Ｂ）は該内掛眼鏡フレーム２００Ｘの拡大正面図である。
【０１０４】
図９に示す眼鏡フレームセット３００”は、眼鏡フレーム１００”と、内掛眼鏡フレーム２００Ｘとを具備している。
【０１０５】
眼鏡フレーム１００Ｘは、図９及び図１０に示すように、左右一対のレンズＬ”，Ｌ”を保持する前枠１１０”と、該前枠１１０”の両端からそれぞれ後方に延出する左右一対のテンプル１２０”，１２０”と、前枠１１０”の両端部でテンプル１２０”，１２０”を開閉させるための左右一対の蝶番１３０”，１３０”とを具備するものである。
【０１０６】
また、眼鏡フレーム１００”を構成する前枠１１０”には、該前枠１１０”と該前枠１１０”に設けられた左右一対の鼻当て用のパッド１４０”，１４０”との間にそれぞれ介在する左右一対のクリングス１５０”，１５０”が設けられている。
【０１０７】
内掛眼鏡フレーム２００Ｘは、眼鏡フレーム１００”に対して着脱自在に取り付けられる、テンプルを具備しないものであり、眼鏡フレーム１００”に対して取り付けられた状態において、前枠１１０”の後面に重ね合わされる左右一対のリム２１０Ｘ，２１０Ｘと、該左右一対のリム２１０Ｘ，２１０Ｘを連結するブリッジ部２２０Ｘとを備えている。
【０１０８】
内掛眼鏡フレーム２００Ｘを構成するブリッジ部２２０Ｘは、該内掛眼鏡フレーム２００Ｘが眼鏡フレーム１００”に対して取り付けられた状態において、眼鏡フレーム１００”におけるクリングス１５０”，１５０”に支持されるように構成されており、図９（Ａ）に示すように、該クリングス１５０”，１５０”にそれぞれ当接して支持される左右一対の支持部２３０Ｘ，２３０Ｘを有している。
【０１０９】
また、内掛眼鏡フレーム２００Ｘのブリッジ部２２０Ｘ及び眼鏡フレーム１００”のブリッジ部１１１”の互いに対向する所定部位に着磁手段が設けられている。
【０１１０】
本実施形態では、着磁手段は、磁性体１１１”と磁石２２２Ｘとからなっている。さらに説明すると、内掛眼鏡フレーム２００Ｘのブリッジ部２２０Ｘが、前方に突出する突出部２２１Ｘであって、左右一対の支持部２３０Ｘ，２３０Ｘがクリングス１５０”，１５０”に支持された際に、該突出部２２１Ｘ下面と眼鏡フレーム１００”のブリッジ部１１１”上面とが互いに対向するように設けられた突出部２２１Ｘを有していて、該突出部２２１Ｘ下面に磁石２２２Ｘが設けられている一方、眼鏡フレーム１００”のブリッジ部１１１”全体が磁性体で形成されている。なお、ここではブリッジ部２２０Ｘの突出部２２１Ｘ下面に磁石２２２Ｘが設けられているが、突出部２２１Ｘ上面に磁石２２２Ｘが設けられていてもよいし、突出部２２１Ｘ全体が磁石で形成されていてもよい。また、ここでは眼鏡フレーム１００”のブリッジ部１１１”全体が磁性体で形成されているが、眼鏡フレーム１００”のブリッジ部１１１”上面又は下面の、突出部２２１Ｘにおける磁石２２２Ｘが設けられている部位に対応する部位に磁性体が設けられていてもよい。また、内掛眼鏡フレーム２００Ｘのブリッジ部２２０Ｘに磁性体が設けられ、眼鏡フレーム１００”のブリッジ部１１１”に磁石が設けられていてもよい。この場合、突出部２２１Ｘ下面に磁性体が設けられ、ブリッジ部１１１”上面に磁石が設けられていてもよいし、突出部２２１Ｘ上面に磁性体が設けられ、ブリッジ部１１１”下面に磁石が設けられていてもよい。また突出部２２１Ｘ全体が磁性体で形成されていて、ブリッジ部１１１”上面又は下面に磁石が設けられていてもよいし、突出部２２１Ｘ上面又は下面に磁性体が設けられていて、ブリッジ部１１１”全体が磁石で形成されていてもよく、突出部２２１Ｘ全体が磁性体で形成されていて、ブリッジ部１１１”全体が磁石で形成されていてもよい。ここで、突出部２２１Ｘ上面に磁石２２２Ｘや磁性体が設けられたり、眼鏡フレーム１００”のブリッジ部１１１”下面に磁性体や磁石２２２Ｘが設けられる場合、或いは突出部２２１Ｘ全体が磁性体で形成され、ブリッジ部１１１”全体が磁石で形成される場合であって、突出部２２１Ｘを眼鏡フレーム１００”のブリッジ部１１１”下方に配設する場合には、突出部２２１Ｘを、左右一対の支持部２３０Ｘ，２３０Ｘがクリングス１５０”，１５０”に支持された際に、該突出部２２１Ｘ上面と眼鏡フレーム１００”のブリッジ部１１１”下面とが互いに対向するように前方に突設させればよい。
【０１１１】
さらに、ここでは着磁手段は、磁性体１１１”と磁石２２２Ｘとからなっているが、内掛眼鏡フレーム２００Ｘのブリッジ部２２０Ｘに一対の磁石のうち一方が設けられ、眼鏡フレーム１００”のブリッジ部１１１”に他方が一方の磁石と極性が異なるように設けられてもよい。この場合、突出部２２１Ｘ下面及びブリッジ部１１１”上面に磁石が設けられていてもよいし、突出部２２１Ｘ上面及びブリッジ部１１１”下面に磁石が設けられていてもよい。また突出部２２１Ｘ全体が磁石で形成されていて、ブリッジ部１１１”上面又は下面に磁石が設けられていてもよいし、突出部２２１Ｘ上面又は下面に磁石が設けられていて、ブリッジ部１１１”全体が磁石で形成されていてもよく、突出部２２１Ｘ全体及びブリッジ部１１１”全体が磁石で形成されていてもよい。ここで、突出部２２１Ｘ上面に磁石が設けられたり、眼鏡フレーム１００”のブリッジ部１１１”下面に磁石が設けられる場合、或いは突出部２２１Ｘ全体及びブリッジ部１１１”全体が磁石で形成される場合であって、突出部２２１Ｘを眼鏡フレーム１００”のブリッジ部１１１”下方に配設する場合には、突出部２２１Ｘを、左右一対の支持部２３０Ｘ，２３０Ｘがクリングス１５０”，１５０”に支持された際に、該突出部２２１Ｘ上面と眼鏡フレーム１００”のブリッジ部１１１”下面とが互いに対向するように前方に突設させればよい。
【０１１２】
このように第３実施形態に係る内掛眼鏡フレーム２００Ｘでは、眼鏡フレーム１００”に対して取り付けられるにあたり、左右一対のリム２１０Ｘ，２１０Ｘを連結するブリッジ部２２０Ｘが、眼鏡フレーム１００”を構成する前枠１１０”と該前枠１１０”に設けられた左右一対の鼻当て用のパッド１４０”，１４０”との間にそれぞれ介在する左右一対のクリングス１５０”，１５０”に支持部２３０Ｘ，２３０Ｘで当接されて支持されるので、ＴＰＯに応じて外観を容易に変更することができる。さらに、眼鏡フレーム１００”に対して取り付けられた状態において、左右一対のリム２１０Ｘ，２１０Ｘが眼鏡フレーム１００”を構成する前枠１１０”の後面に重ね合わされるので、該眼鏡フレーム１００”の前枠１１０”が該左右一対のリム２１０Ｘ，２１０Ｘに隠蔽されることがなく、眼鏡フレーム１００”自身のデザインが生かされ易く、これにより興趣性を向上させることができる上、眼鏡フレーム１００”自身のデザインに合わせたデザインにすることができる。
【０１１３】
さらに、内掛眼鏡フレーム２００Ｘのブリッジ部２２０Ｘに磁石２２２Ｘが設けられており、眼鏡フレーム１００”のブリッジ部１１１”が磁性体で形成されているので、内掛眼鏡フレーム２００Ｘを眼鏡フレーム１００”に確実に取り付けることが可能である。
【０１１４】
なお、第３実施形態に係る内掛眼鏡フレーム２００Ｘは、ブリッジ部２２０Ｘにおける支持部２３０Ｘ，２３０Ｘ（図９（Ａ）参照）に代えて、第１実施形態に係る内掛眼鏡フレーム２００のブリッジ部２２０における係合部２３０，２３０（図２（Ａ）参照）のような係合部が設けられていてもよい。
【０１１５】
また、第３実施形態に係る内掛眼鏡フレーム２００Ｘは、フルリムタイプのフレームとしているが、必ずしもフルリムタイプのフレームに限るものではなく、上半分又は下半分にのみリムが設けられたハーフリムタイプのフレームとすることも可能である。
【０１１６】
以上説明したように、第１から第３に係る眼鏡フレームセット３００，３００’，３００”並びに内掛眼鏡フレーム２００，２００Ａ〜２００Ｅ，２００Ｘによれば、ＴＰＯに応じて外観を容易に変更可能で且つ興趣性に優れた利点を有する。
【０１１７】
（第１から第３実施形態について）
また、第１から第３実施形態に係る眼鏡フレーム１００，１００’，１００”では、テンプル１２０，１２０’，１２０”において、例えば、図１１及び図１２に示すような構成にすることができる。なお、図１１に示すテンプル１２０，１２０’，１２０”は、第１から第３実施形態に係るテンプル１２０，１２０’，１２０”において、該テンプル１２０，１２０’，１２０”を構成する先セル１２１，１２１’，１２１”に耳当て部材２３を設けるように構成にした以外は第１から第３実施形態に係るテンプル１２０，１２０’，１２０”と同様のものであり、また、図１２（Ｂ）に示すテンプル１２０，１２０’，１２０”は、第１から第３実施形態に係るテンプル１２０，１２０’，１２０”において、該テンプル１２０，１２０’，１２０”を構成する先セル１２１，１２１’，１２１”に眼鏡取り付け具３０を設けるように構成にした以外は第１から第３実施形態に係るテンプル１２０，１２０’，１２０”と同様のものである。図１１及び図１２において、実質的に同じ構成作用を有する部材には同じ参照符号を付してある。また、図１１及び図１２ではいずれも左右一対の部材のうち左側の部材を示している。この左側部材は右側の部材とは左右対称になっているだけで、該右側部材と実質的に同様の構成をしており、ここでは、右側部材については図示を省略し、左側部材に代表させて示している。
【０１１８】
図１１に示す眼鏡フレーム１００，１００’，１００”は、耳の裏側に当接可能な耳当接部２３ａ及びテンプル１２０，１２０’，１２０”の後部と該耳当接部２３ａとを揺動可能に取り付けるためのピン又はネジ等の軸部材２７が取り付けられた揺動部２３ｂを有する耳当て部材２３と、テンプル１２０，１２０’，１２０”の耳当て部材２３が取り付けられた部位２２ａより前方にある所定部２２ｂと耳当接部２３ａの前端部２３ｃとを連結する可撓性の絡み防止部材２４とを具備している。なお、図示例では、耳当接部２３ａ、所定部２２ｂ及び絡み防止部材２４は一体的に形成されている。
【０１１９】
この眼鏡フレーム１００，１００’，１００”では、前枠１１０，１１０’，１１０”に取り付けられた鼻当て用のパッド１４０，１４０’，１４０”を鼻に掛けるとともに、湾曲した耳当て部材２３の耳当接部２３ａを耳の裏側（耳と頭との間）の湾曲部に掛けることによって着用される。
【０１２０】
眼鏡フレーム１００，１００’，１００”においては、眼鏡を掛けた状態で、前枠１１０，１１０’，１１０”がずれ落ちようとすると、前枠１１０，１１０’，１１０”から延出されたテンプル１２０，１２０’，１２０”の後部はずれ上がろうとし、テンプル１２０，１２０’，１２０”の後部に取り付けられた耳当て部材２３の耳当接部２３ａを上方へ移動させようとする。そして、耳当て部材２３の耳当接部２３ａが上方へ移動しようとすると、耳当て部材２３のテンプル１２０，１２０’，１２０”に取り付けられる部位である揺動部２３ｂ（テンプル１２０，１２０’，１２０”の耳当て部材２３が取り付けられる部位２２ａ）に挿通された軸部材２７を中心として耳当接部２３ａは、図１１（Ａ）中矢印反時計方向Ｚ１へ回転しようとする。このとき、耳当接部２３ａの前端部２３ｃが耳の裏側を押圧する力が大きくなり、その結果、耳当接部２３ａと耳の裏側との相対的な移動が阻止され、テンプル１２０，１２０’，１２０”の後部のずれ上がりが阻止される。このようにして、眼鏡のずれ落ちを防止することができる。
【０１２１】
また、耳当接部２３ａの長手方向の略中間部に揺動部２３ｂが設けられるように構成されており、耳当て部材２３のテンプル１２０，１２０’，１２０”に取り付けられる部位である揺動部２３ｂ及びテンプル１２０，１２０’，１２０”の耳当て部材２３が取り付けられる部位２２ａには、揺動部２３ｂの揺動範囲を規制する規制機構１８が設けられるように構成されるとともに、テンプル１２０，１２０’，１２０”と耳当て部材２３の揺動部２３ｂとの取り付けには、ピン又はねじ等の軸部材２７が用いられるように構成される。規制機構１８は、テンプル１２０，１２０’，１２０”の耳当て部材が取り付けられる部位２２ａに設けられた当接面２８に耳当て部材２３の支持片３８が当接することにより揺動を規制する構成となっている。
【０１２２】
このような規制機構１８を設けることにより、耳当て部材２３の揺動範囲が規制されるため、使用者が眼鏡を掛ける際に、耳の裏側の適所に耳当て部材２３の耳当接部２３ａを容易に当接させることができ、使用者の眼鏡の着用をより容易にすることができる。また、軸部材２７を介して耳当て部材２３がテンプル１２０，１２０’，１２０”の取り付け部位２２ａに取り付けられる構成であるため、力の損失が少なく、スムーズな揺動を容易かつ安価に達成することができる。また、軸部材２７の軸回りに規制機構１８を設けることにより、規制機構１８を容易に構成することができる。なお、耳当て部材２３に取り付けられた揺動部２３ｂが軸部材２７に揺動可能に取り付けられているが、耳当て部材２３自体（耳当接部２３ａ）に孔を開けて軸部材２７を介して耳当て部材２３がテンプル１２０，１２０’，１２０”に対して揺動可能に取り付けてもよい。また、テンプル１２０，１２０’，１２０”の耳当て部材２３が取り付けられた部位２２ａは、テンプル１２０，１２０’，１２０”の後端部であるように構成される。この場合、眼鏡フレーム１００，１００’，１００”のテンプル１２０，１２０’，１２０”と耳当て部材２３とが一体ではない構造を有しているにも関わらず、一般的な形状の眼鏡フレームを用いてきた使用者であっても違和感なく着用することができる。
【０１２３】
また、図１１に示すように、可撓性の絡み防止部材２４がテンプル１２０，１２０’，１２０”の耳当て部材２３が取り付けられた部位２２ａより前方にある所定部２２ｂと耳当て部材２３の耳当接部２３ａの前端部２３ｃとを連結するように取り付けられている。こうすることで、眼鏡を外す際に、テンプル１２０，１２０’，１２０”を上方へ持ち上げた場合であっても、テンプル１２０，１２０’，１２０”と耳当接部２３ａの前端部２３ｃとの間が絡み防止部材２４で塞がれているため、髪の毛がＱ方向（図１１（Ａ）参照）からテンプル１２０，１２０’，１２０”と耳当接部２３ａとの取り付け部分（揺動部２３ｂ）に入り込みにくく、これに絡まることが抑制される。また、絡み防止部材２４は、可撓性を有しているため、眼鏡のずれ落ち抑制の機能を阻害することもない。このように、可撓性の絡み防止部材２４によってテンプル１２０，１２０’，１２０”の耳当て部材２３が取り付けられた部位２２ａより前方にある所定部２２ｂと耳当接部２３ａの前端部２３ｃとを連結することにより、鼻に掛かる負担を大きくすることなく眼鏡のずれ落ちを防止できるとともに、眼鏡を外す際に髪の毛の眼鏡への絡みを抑制することができる。
【０１２４】
さらに絡み防止部材２４は、エラストマ等の弾性部材であって、耳当接部２３ａの前端部２３ｃをテンプル１２０，１２０’，１２０”側へ押し付ける弾性力ｆＡを作用させる姿勢（図１１（Ａ）に示す状態Ａ）と、耳当接部２３ａの前端部２３ｃをテンプル１２０，１２０’，１２０”から離間させる弾性力ｆＢを作用させる姿勢（図１１（Ｂ）に示す状態Ｂ）とに切り替わるように構成される。
【０１２５】
絡み防止部材２４がエラストマ等の弾性部材で形成されており、所定位置を切り替え点として当該切り替え点より耳当接部２３ａの前端部２３ｃがテンプル１２０，１２０’，１２０”に近い側では、図１１（Ａ）に示す弾性力ｆＡが作用し、状態Ａのように耳当接部２３ａの前端部２３ｃがテンプル１２０，１２０’，１２０”側に押し付けられた位置で保持される。一方、切り替え点より耳当接部２３ａの前端部２３ｃがテンプル１２０，１２０’，１２０”から離間した位置にあると、絡み防止部材２４が撓むことによって、弾性力の作用する方向が反転し、図１１（Ｂ）に示す弾性力ｆＢが作用して、状態Ｂのように耳当接部２３ａの前端部２３ｃがテンプル１２０，１２０’，１２０”から離間した位置で保持される。
【０１２６】
従って、耳当接部２３ａの前端部２３ｃがテンプル１２０，１２０’，１２０”から離間した位置で保持された状態Ｂにすることにより、前枠１１０，１１０’，１１０”と絡み防止部材２４の後端部との距離が状態Ａにおける距離と比べて、広げられた状態となるため、使用者が眼鏡を掛ける際、耳当て部材２３が邪魔になることなく（耳当て部材２３を手で押さえておくことなく）容易に装着することができる。そして、耳に当接することによって（耳当接部２３ａの後端部を耳の裏側で押すことによって）、絡み防止部材２４の姿勢が、耳当接部２３ａの前端部２３ｃをテンプル１２０，１２０’，１２０”側へ押し付ける弾性力ｆＡを作用させる姿勢（状態Ａ）へと切り替わり、耳当接部２３ａの後端部がしっかりと耳の裏側に当接可能となる。
【０１２７】
このように、絡み防止部材２４がその弾性力によって耳当接部２３ａの姿勢を切り替えることができるため、眼鏡をより容易に装着することができ、かつ、眼鏡のずれ落ちをより効果的に抑制することができる。
【０１２８】
さらに、第１から第３実施形態に係る内掛眼鏡フレーム２００，２００Ａ〜２００Ｅ，２００Ｘにおいて、左右一対の筒状部材２４０，２４０を更に備えている場合には、該内掛眼鏡フレーム２００，２００Ａ〜２００Ｅ，２００Ｘを取り付けた眼鏡を装着した状態において、斯かる構成の眼鏡フレーム１００，１００’，１００”によって、該筒状部材２４０，２４０を安定させることができ、それだけ効果的に防塵機能を高めることができる。
【０１２９】
なお、絡み防止部材２４は、該絡み防止部材２４に用いられた弾性部材の弾性係数、厚み、長さの組み合わせを好適に選択することにより、弾性力の方向を好適に切り替えることができる。
【０１３０】
また、絡み防止部材２４は、弾性力を有する部材であれば、例えば、エラストマ（天然ゴム、合成ゴム等の弾性を有する高分子物質）や形状記憶合金等で形成された板ばね等、種々の弾性部材が採用可能である。また、弾性力の方向を耳当て部材２３の揺動可能な方向に略平行にする（軸部材２７の軸方向にぶれないようにする）ために前記軸方向に長い断面形状であることが好ましい。当該断面形状は、楕円形状、半円形状、板状等、種々適用可能である。中空でも無垢でもよく、繊維状に編み込んで形成されてもよい。
【０１３１】
ここでは、絡み防止部材２４として弾性部材を用いたが、絡み防止を達成するための素材（弾性力の切り替えを要しない場合）としては、ナイロン樹脂等、可撓性を有する材料であればいずれの材料でもよい（もちろん弾性部材でもよい）。絡み防止部材２４がナイロン樹脂等で形成されることにより、強靭かつ柔軟で安価に構成することができる。また、一体（無垢でもよいし中空でもよい）に形成されてもよいし、繊維状に編み込んで形成されてもよい。また、弾性力の切り替えを要しない場合は、絡み防止部材２４が取り付けられるテンプル１２０，１２０’，１２０”の所定部２２ｂがテンプル１２０，１２０’，１２０”の所定箇所に固定されているものとしてもよいし、テンプル１２０，１２０’，１２０”に沿って摺動可能に取り付けられているものとしてもよい。
【０１３２】
図１２に示すテンプル１２０，１２０’，１２０”は、眼鏡取り付け具３０を具備しているものである。この眼鏡取り付け具３０は、眼鏡フレーム１００，１００’，１００”に着脱可能な眼鏡取り付け具であって、テンプル１２０，１２０’，１２０”の後部所定部位２０ａに着脱可能なクリップ部３０ｄと、耳の裏側に当接可能な耳当接部３０ａと、クリップ部３０ｄと耳当接部３０ａとを揺動可能に取り付けるためのピン又はねじ等の軸部材２７が取り付けられた揺動部３０ｂとを具備するものである。
【０１３３】
この眼鏡取り付け具３０においては、クリップ部３０ｄにより、内掛眼鏡フレーム２００，２００Ａ〜２００Ｅ，２００Ｘが取り付けられる、一般的な眼鏡フレーム１００，１００’，１００”のテンプル１２０，１２０’，１２０”の後部２０ａに着脱可能に取り付けられる。また、クリップ部３０ｄと耳当接部３０ａとは、揺動部３０ｂにより、ピン又はねじ等の軸部材２７を用いて揺動可能に取り付けられる。これにより、眼鏡フレーム１００，１００’，１００”のテンプル１２０，１２０’，１２０”と眼鏡取り付け具３０の耳当接部３０ａとは、揺動可能に取り付けられる。
【０１３４】
ここで、眼鏡取り付け具３０におけるクリップ部３０ｄは、ゴムや樹脂等の可撓性部材で形成されており、図１２（Ａ）に示されるように、略管状体、つまり横断面がテンプル１２０，１２０’，１２０”の断面形状と略相似形状とする略管状体に形成して構成され、その内径は、そこに嵌着されるテンプル１２０，１２０’，１２０”の外径よりわずかに小さく設定される。さらに、クリップ部３０ｄには、その管状体の直径より幅の狭い開口部がその管状体の長さ方向に沿って形成され、テンプル１２０，１２０’，１２０”は管状体の開口部から嵌入することにより嵌着される。
【０１３５】
また、テンプル１２０，１２０’，１２０”が後方へ向けて次第に分厚くなるような形状の場合は、クリップ部３０ｄの内径に所定の余裕を持たせてもクリップ部３０ｄがテンプル１２０，１２０’，１２０”の後端から抜け落ちることを防止することができる。なお、クリップ部３０ｄの形状、材質等は、上記や添付図面に限られるものではなく、適宜変更が可能である。
【０１３６】
眼鏡取り付け具３０が取り付けられた眼鏡フレーム１００，１００’，１００”（図１２（Ｂ））のずれ落ち防止の態様については、図１１に示す眼鏡フレームと同様である。即ち、眼鏡を掛けた状態で、眼鏡フレーム１００，１００’，１００”の前枠１１０，１１０’，１１０”がずれ落ちようとすると、前枠１１０，１１０’，１１０”に延出されたテンプル１２０，１２０’，１２０”の後部はずれ上がろうとし、テンプル１２０，１２０’，１２０”に対して揺動可能に取り付けられた眼鏡取り付け具３０の耳当接部３０ａを上方へ移動させようとする。そして、耳当接部３０ａが上方へ移動しようとすると、軸部材２７を中心として耳当接部３０ａは、図１２（Ｂ）中反時計方向Ｚ１へ回転しようとする。この時、耳当接部３０ａの前端部３０ｃが耳の裏側を押圧する力が大きくなり、その結果、耳当接部３０ａと耳の裏側との相対的な移動が阻止され、テンプル１２０，１２０’，１２０”の後部のずれ上がりが阻止される。これにより、眼鏡のずれ落ちを防止することができる。
【０１３７】
このように、内掛眼鏡フレーム２００，２００Ａ〜２００Ｅ，２００Ｘが取り付けられる、一般の眼鏡フレーム１００，１００’，１００”のテンプル１２０，１２０’，１２０”に着脱可能なクリップ部３０ｄを有するとともに、当該クリップ部３０ｄがテンプル１２０，１２０’，１２０”に取り付けられた状態でテンプル１２０，１２０’，１２０”に対して揺動可能な耳当接部３０ａを有することにより、特殊な眼鏡フレームを用いないで、眼鏡フレームについて鼻に掛かる負担を大きくすることなく眼鏡のずれ落ちを防止できる。また、眼鏡フレームを複数所有する場合であっても、様々なデザインの眼鏡フレームに対し、眼鏡取り付け具３０を着脱することにより，１つ（１対）の眼鏡取り付け具さえあれば、いずれの眼鏡フレームに対しても有効な眼鏡のずれ落ち防止効果を達成することができる。
【０１３８】
なお、耳当接部３０ａに揺動部３０ｂが取り付けられる位置や揺動部３０ｂの規制機構等、種々の態様も図１１に示す眼鏡フレームと同様に適用可能である。
【０１３９】
また、図１２に示すように、一端が前記耳当接部３０ａの前端部３０ｃに連結され、他端がテンプル１２０，１２０’，１２０”のクリップ部３０ｂが取り付けられた部位２０ａより前方にある所定部２０ｂに着脱可能な可撓性の絡み防止部材２４をさらに具備するように構成される。
【０１４０】
この場合、可撓性の絡み防止部材２４が眼鏡フレーム１００，１００’，１００”のテンプル１２０，１２０’，１２０”のクリップ部３０ｄが取り付けられた部位２０ａより前方にある所定部２０ｂと眼鏡取り付け具３０の耳当接部３０ａの前端部３０ｃとを連結するように取り付けられており、眼鏡を外す際に、テンプル１２０，１２０’，１２０”を上方へ持ち上げてもテンプル１２０，１２０’，１２０”と耳当接部３０ａの前端部３０ｃとの間が絡み防止部材２４で塞がれているため、髪の毛がテンプル１２０，１２０’，１２０”と耳当接部３０ａとの取り付け部（揺動部３０ｂ）に入り込みにくく、これに絡まることが抑制される。また、絡み防止部材２４は、可撓性を有しており、眼鏡取り付け具２０の耳当接部３０ａの揺動を阻害することがないため、上記眼鏡のずれ落ち抑制の機能を阻害することもない。
【０１４１】
このように、可撓性の絡み防止部材２４によって眼鏡フレーム１００，１００’，１００”のテンプル１２０，１２０’，１２０”のクリップ部３０ｄが取り付けられた部位２０ａより前方にある所定部２０ｂと眼鏡取り付け具３０の耳当接部３０ａの前端部３０ｃとを連結することにより、鼻に掛かる負担を大きくすることなく眼鏡のずれ落ちを防止できるとともに、眼鏡を外す際に髪の毛の眼鏡への絡みを抑制することができる。
【０１４２】
ここで、この絡み防止部材２４についてもエラストマやナイロン樹脂等で形成されるように構成される。この場合、絡み防止部材２４がエラストマやナイロン樹脂等で形成されることにより、強靭かつ柔軟でさらに安価に構成することができる。なお、絡み防止部材２４は、可撓性を有する材料であればいずれの材料でもよく、また、一体（無垢でもよいし中空でもよい）に形成されてもよいし、繊維状に編み込んで形成されてもよい。
【０１４３】
また、絡み防止部材２４の他端をテンプル１２０，１２０’，１２０”に着脱可能に取り付けるための構成として、図１２（Ａ）に示すような、前述のクリップ部３０ｄと同様のエラストマや樹脂等の可撓性部材で形成されたクリップ部２４ａを用いている。
【０１４４】
図１２に示す眼鏡フレームにおいても、図１１に示す眼鏡フレームと同様に、絡み防止部材２４のクリップ部２４ａが取り付けられるテンプル１２０，１２０’，１２０”の所定部２０ｂは、テンプル１２０，１２０’，１２０”の所定箇所にクリップ部２４ａが摺動することなく固定されているものとしてもよいし、テンプル１２０，１２０’，１２０”に沿って摺動可能に取り付けられているものとしてもよい。
【０１４５】
クリップ部２４ａが摺動することなく固定されている場合は、図１１に示す眼鏡フレームと同様に、前記絡み防止部材２４が、エラストマ等の弾性部材であって、前記耳当接部３０ａの前端部３０ｃを前記テンプル１２０，１２０’，１２０”側へ押し付ける弾性力ｆＡを作用させる姿勢（状態Ａ）と、前記耳当接部３０ａの前端部３０ｃを前記テンプル１２０，１２０’，１２０”から離間させる弾性力ｆＢを作用させる姿勢（状態Ｂ）とに切り替わるように構成されることとしてもよい。こうすることで、耳当接部３０ａの前端部３０ｃがテンプル１２０，１２０’，１２０”から離間した位置で保持された状態Ｂにすることにより、前枠１１０，１１０’，１１０”と絡み防止部材２４の後端部との距離が広げられた状態となるため、使用者が眼鏡を掛ける際、耳当接部３０ａが邪魔になることなく（耳当接部３０ａを手で押さえておくことなく）容易に装着することができる。そして、耳に当接することによって（耳当接部３０ａの後端部を耳の裏側で押すことによって）、絡み防止部材２４の姿勢が、耳当接部３０ａの前端部３０ｃをテンプル１２０，１２０’，１２０”側へ押し付ける弾性力ｆＡを作用させる姿勢（状態Ａ）へと切り替わり、耳当接部３０ａの後端部がしっかりと耳の裏側に当接可能となる。
【０１４６】
このように、絡み防止部材２４がその弾性力によって耳当接部３０ａの姿勢を切り替えることができるため、眼鏡をより容易に装着することができ、かつ、眼鏡のずれ落ちをより効果的に抑制することができる。
【０１４７】
さらに、第１から第３実施形態に係る内掛眼鏡フレーム２００，２００Ａ〜２００Ｅ，２００Ｘにおいて、左右一対の筒状部材２４０，２４０を更に備えている場合には、該内掛眼鏡フレーム２００，２００Ａ〜２００Ｅ，２００Ｘを取り付けた眼鏡を装着した状態において、該眼鏡取り付け具３０を具備する眼鏡フレーム１００，１００’，１００”によって、該筒状部材２４０，２４０を安定させることができ、それだけ効果的に防塵機能を高めることができる。
【０１４８】
なお、絡み防止部材２４のテンプル１２０，１２０’，１２０”への取り付け態様として可撓性部材によるクリップ部２４ａを用いたが、絡み防止部材２４のテンプル１２０，１２０’，１２０”が取り付けられる他端にテンプル１２０，１２０’，１２０”が貫通可能な穴を設け、この穴にテンプル１２０，１２０’，１２０”を貫通させることにより、取り付けることとしてもよい。この場合において、穴の径は、テンプル１２０，１２０’，１２０”の所定部２０ｂよりわずかに小さく設定されてもよい。テンプル１２０，１２０’，１２０”の後端の外径が大きく穴に入らない場合は、前枠１１０，１１０’，１１０”とテンプル１２０，１２０’，１２０”とを一度分解して絡み防止部材２４の穴にテンプル１２０，１２０’，１２０”を貫通させた後、再び前枠１１０，１１０’，１１０”とテンプル１２０，１２０’，１２０”とを組み立てることとしてもよい。
【図面の簡単な説明】
【０１４９】
【図１】図１は、本発明の第１実施形態に係る眼鏡フレームセットを示す概略斜視図であって、図１（Ａ）は、本発明の第１実施形態に係る内掛眼鏡フレームが眼鏡フレームから取り外された状態を示す図であり、図１（Ｂ）は、該内掛眼鏡フレームが眼鏡フレームに取り付けられた状態を示す図である。
【図２】図２は、図１に示す内掛眼鏡フレームの眼鏡フレームへの係合作用を説明するための図であって、図２（Ａ）は、該内掛眼鏡フレームの正面図であり、図２（Ｂ）は、該眼鏡フレームの正面図であり、図２（Ｃ）は、該眼鏡フレームの前枠部分の平面図である。
【図３】図３は、第１実施形態に係る内掛眼鏡フレームに設けられる左右一対の筒状部材を示す図であって、該内掛眼鏡フレームに取り付けられた状態の筒状部材の平面図である。
【図４】図４は、左右一対の筒状部材を具備する内掛眼鏡フレームが眼鏡フレームに取り付けられた状態を示す背面図である。
【図５】図５は、本発明の第２実施形態に係る眼鏡フレームセットの概略構成を示す図であって、図５（Ａ）は、本発明の第２実施形態に係る内掛眼鏡フレームの一例が眼鏡フレームから取り外された状態を示す平面図であり、図５（Ｂ）は、該内掛眼鏡フレームが眼鏡フレームに取り付けられた状態を示す平面図である。
【図６】図６は、本発明の第２実施形態に係る眼鏡フレームセットの概略構成を示す図であって、図６（Ａ）は、本発明の第２実施形態に係る内掛眼鏡フレームの一例が眼鏡フレームから取り外された状態を示す正面図であり、図６（Ｂ）は、該内掛眼鏡フレームが眼鏡フレームに取り付けられた状態を示す正面図である。
【図７】図７は、本発明の第２実施形態に係る内掛眼鏡フレームの一例の一部断面を拡大して示す図であって、図７（Ａ）は、図５（Ｂ）のＡＡ矢視断面拡大図であり、図７（Ｂ）は、図５（Ａ）のＢＢ矢視断面拡大図であり、図７（Ｃ）は、該内掛眼鏡フレームが眼鏡フレームに取り付けられる際における図７（Ｂ）に示す状態から図７（Ａ）に示す状態への遷移過程を示す断面拡大図であり、図７（Ｄ）は、該内掛眼鏡フレームが眼鏡フレームから取り外される際における図７（Ａ）に示す状態から図７（Ｂ）に示す状態への遷移過程を示す断面拡大図であり、図７（Ｅ）は、図５（Ｂ）のＣＣ矢視断面拡大図である。
【図８】図８は、第２実施形態に係る内掛眼鏡フレームの他の例のブリッジ部断面を拡大して示す図である。
【図９】図９は、本発明の第３実施形態に係る眼鏡フレームセットの概略構成を示す図であって、図９（Ａ）は、本発明の第３実施形態に係る内掛眼鏡フレームの一例が眼鏡フレームに取り外された状態を示す正面図であり、図９（Ｂ）は、該内掛眼鏡フレームが眼鏡フレームに取り付けられた状態を示す正面図であり、図９（Ｃ）は、該内掛眼鏡フレームが眼鏡フレームから取り付けられた状態を示す平面図である。
【図１０】図１０は、本発明の第３実施形態に係る内掛眼鏡フレームのブリッジ部部分及び眼鏡フレームのブリッジ部部分の拡大図であって、図１０（Ａ）は、該内掛眼鏡フレーム及び眼鏡フレームの拡大平面図であり、図１０（Ｂ）は、該内掛眼鏡フレームの拡大正面図である。
【図１１】図１１は、第１から第３実施形態において、テンプルを構成する先セルに耳当て部材を設けるように構成にした一例の先セル部分を拡大した概略側面図であって、図１１（Ａ）は、耳当接部の前端部をテンプル側へ押し付ける弾性力を作用させる姿勢にある絡み防止部材の状態（状態Ａ）を示しており、図１１（Ｂ）は、耳当接部の前端部をテンプルから離間させる弾性力を作用させる姿勢にある絡み防止部材の状態（状態Ｂ）を示している。
【図１２】図１２は、第１から第３実施形態において、テンプルを構成する先セルに眼鏡取り付け具を設けるように構成にした一例を説明するための図であって、図１２（Ａ）は、該眼鏡取り付け具の概略斜視図であり、図１２（Ｂ）は、該眼鏡取り付け具を装着したテンプルの該眼鏡取り付け具部分を拡大した概略側面である。
【符号の説明】
【０１５０】
２３…耳当て部材  ２４…絡み防止部材  ２７…軸部材  ３０…眼鏡取り付け具  
３０ａ…耳当接部  ３０ｄ…クリップ部  １００，１００’，１００”…眼鏡フレーム  
１１０，１１０’，１１０”…前枠  １１１，１１１’…前枠のブリッジ部  
１１１”…磁性材料で形成された前枠のブリッジ部（着磁手段の一例）  
１１１ａ’…前枠のブリッジ部後面  
１２０，１２０’，１２０”…左右一対のテンプル  
１４０，１４０’，１４０”…鼻当て用のパッド  
１５０，１５０’，１５０”…クリングス  
２００，２００Ａ〜２００Ｅ，２００Ｘ…内掛眼鏡フレーム  
２１０，２１０Ａ，２１０Ｘ…左右一対のリム  
２２０，２２０Ａ，２２０Ｘ…内掛眼鏡フレームのブリッジ部  
２２１Ａａ，２２１Ｂａ，２２１Ｅａ…凹溝  
２２１Ａ，２２１Ｂ，２２１Ｃ，２２１Ｄ，２２１Ｅ…ブリッジ部本体  
２２２Ａ，２２２Ｂ，２２２Ｃ，２２２Ｄ…延設部  
２２２Ｘ…磁石（着磁手段の一例）  
２２３Ａ，２２３Ｂ，２２３Ｃ，２２３Ｄ…係止部  ２２３Ｃａ，２２３Ｄａ…凹溝  
２２３Ｅａ，２２３Ｅｂ…第１及び第２係止部  ２３０…係合部  
２４０…左右一対の筒状部材  ２４３…鍔部  
３００，３００’，３００”…眼鏡フレームセット  
Ｌ，Ｌ’，Ｌ”…レンズ  
【図１】
2006317670.tif 000003
【図２】
2006317670.tif 000004
【図３】
2006317670.tif 000005
【図４】
2006317670.tif 000006
【図５】
2006317670.tif 000007
【図６】
2006317670.tif 000008
【図７】
2006317670.tif 000009
【図８】
2006317670.tif 000010
【図９】
2006317670.tif 000011
【図１０】
2006317670.tif 000012
【図１１】
2006317670.tif 000013
【図１２】
2006317670.tif 000014
【手続補正書】
【提出日】平成17年8月15日(2005.8.15)
【手続補正１】
【補正対象書類名】特許請求の範囲
【補正対象項目名】全文
【補正方法】変更
【補正の内容】
【特許請求の範囲】
【請求項１】
レンズを保持する前枠と、前記前枠の両端からそれぞれ後方に延出する左右一対のテンプルとを具備する眼鏡フレームに対して着脱自在に取り付けられる、テンプルを具備しない内掛眼鏡フレームであって、
前記眼鏡フレームに対して取り付けられた状態において、前記前枠の後面に重ね合わされる左右一対のリムと、
前記左右一対のリムを連結するブリッジ部であって、前記眼鏡フレームを構成する前枠と該前枠に設けられた鼻当て用のパッドとの間に介在するクリングスに支持されるブリッジ部とを備え、
前記内掛眼鏡フレームを構成するブリッジ部は、
前記眼鏡フレームを構成する前枠のブリッジ部後面の形状に対応する凹溝が前面に形成されたブリッジ部本体と、
前記ブリッジ部本体の前記凹溝の上端から前方に向けて延設された延設部と、
前記凹溝と前後方向に対向するように前記延設部の前端部から下方に延設され、前後方向に撓むことが可能な可撓性部材からなる係止部とを備え、
前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されていることを特徴とする内掛眼鏡フレーム。
【請求項２】
レンズを保持する前枠と、前記前枠の両端からそれぞれ後方に延出する左右一対のテンプルとを具備する眼鏡フレームに対して着脱自在に取り付けられる、テンプルを具備しない内掛眼鏡フレームであって、
前記眼鏡フレームに対して取り付けられた状態において、前記前枠の後面に重ね合わされる左右一対のリムと、
前記左右一対のリムを連結するブリッジ部であって、前記眼鏡フレームを構成する前枠と該前枠に設けられた鼻当て用のパッドとの間に介在するクリングスに支持されるブリッジ部とを備え、
前記内掛眼鏡フレームを構成するブリッジ部は、
前記眼鏡フレームを構成する前枠のブリッジ部後面の形状に対応する凹溝が前面に形成されたブリッジ部本体と、
前記ブリッジ部本体の前記凹溝の下端から前方に向けて延設された延設部と、
前記凹溝と前後方向に対向するように前記延設部の前端部から上方に延設され、前後方向に撓むことが可能な可撓性部材からなる係止部とを備え、
前記係止部に付勢力が作用していない状態において、前記ブリッジ部本体と前記係止部の上端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されていることを特徴とすることを特徴とする内掛眼鏡フレーム。
【請求項３】
レンズを保持する前枠と、前記前枠の両端からそれぞれ後方に延出する左右一対のテンプルとを具備する眼鏡フレームに対して着脱自在に取り付けられる、テンプルを具備しない内掛眼鏡フレームであって、
前記眼鏡フレームに対して取り付けられた状態において、前記前枠の後面に重ね合わされる左右一対のリムと、
前記左右一対のリムを連結するブリッジ部であって、前記眼鏡フレームを構成する前枠と該前枠に設けられた鼻当て用のパッドとの間に介在するクリングスに支持されるブリッジ部とを備え、
前記内掛眼鏡フレームを構成するブリッジ部は、
ブリッジ部本体と、
前記ブリッジ部本体の上端部から前方に向けて延設された延設部と、
前記ブリッジ部本体と対向するように前記延設部の前端部から下方に延設され、前後方向に撓むことが可能な可撓性部材からなる係止部とを備え、
前記係止部の上端部後面には、前記眼鏡フレームを構成する前枠のブリッジ部前面の形状に対応する凹溝が形成され、
前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記ブリッジ部本体との前後方向の間隔は、前記眼鏡フレームのブリッジ部の前後方向の厚みと略同等に設定されていることを特徴とする内掛眼鏡フレーム。
【請求項４】
レンズを保持する前枠と、前記前枠の両端からそれぞれ後方に延出する左右一対のテンプルとを具備する眼鏡フレームに対して着脱自在に取り付けられる、テンプルを具備しない内掛眼鏡フレームであって、
前記眼鏡フレームに対して取り付けられた状態において、前記前枠の後面に重ね合わされる左右一対のリムと、
前記左右一対のリムを連結するブリッジ部であって、前記眼鏡フレームを構成する前枠と該前枠に設けられた鼻当て用のパッドとの間に介在するクリングスに支持されるブリッジ部とを備え、
前記内掛眼鏡フレームを構成するブリッジ部は、
ブリッジ部本体と、
前記ブリッジ部本体の下端部から前方に向けて延設された延設部と、
前記ブリッジ部本体と対向するように前記延設部の前端部から上方に延設され、前後方向に撓むことが可能な可撓性部材からなる係止部とを備え、
前記係止部の下端部後面には、前記眼鏡フレームを構成する前枠のブリッジ部前面の形状に対応する凹溝が形成され、
前記係止部に付勢力が作用していない状態において、前記ブリッジ部本体と前記係止部の上端部との前後方向の最小の間隔が、前記眼鏡フレームのブリッジ部の前後方向の厚みよりも小さく設定されている一方、前記凹溝の底部と前記ブリッジ部本体との前後方向の間隔は、前記眼鏡フレームのブリッジ部の前後方向の厚みと略同等に設定されていることを特徴とする内掛眼鏡フレーム。
【請求項５】
レンズを保持する前枠と、前記前枠の両端からそれぞれ後方に延出する左右一対のテンプルとを具備する眼鏡フレームに対して着脱自在に取り付けられる、テンプルを具備しない内掛眼鏡フレームであって、
前記眼鏡フレームに対して取り付けられた状態において、前記前枠の後面に重ね合わされる左右一対のリムと、
前記左右一対のリムを連結するブリッジ部であって、前記眼鏡フレームを構成する前枠と該前枠に設けられた鼻当て用のパッドとの間に介在するクリングスに支持されるブリッジ部とを備え、
前記内掛眼鏡フレームを構成するブリッジ部は、
前記眼鏡フレームを構成する前枠のブリッジ部後面の形状に対応する凹溝が前面に形成されたブリッジ部本体と、
前記ブリッジ部本体の前記凹溝の上端から前方に向けて延設された第１の係止部と、
前記第１の係止部と略同等の長さを有し、前記ブリッジ部本体の前記凹溝の下端から前方に向けて延設された第２の係止部とを備え、
前記第１の係止部及び前記第２の係止部の少なくとも何れか一方は、上下方向に撓むことが可能な可撓性部材からなり、
前記第１の係止部及び前記第２の係止部に付勢力が作用していない状態において、前記第１の係止部の前端部と前記第２の係止部の前端部との上下方向の最小の間隔が、前記眼鏡フレームのブリッジ部の上下方向の厚みよりも小さく設定されている一方、前記第１の係止部の後端部と前記第２の係止部の後端部との上下方向の間隔は、前記眼鏡フレームのブリッジ部の上下方向の厚みと略同等に設定されており、なお且つ、前記第１の係止部の後端部又は前記第２の係止部の後端部の長さと前記凹溝の深さとの和が、前記眼鏡フレームのブリッジ部の前後方向の厚みと略同等に設定されていることを特徴とする内掛眼鏡フレーム。
【請求項６】
前記左右一対のリム後方にそれぞれ配設された左右一対の筒状部材を更に備えることを特徴とする請求項１から５のいずれかに記載の内掛眼鏡フレーム。
【請求項７】
レンズを保持する前枠と、前記前枠の両端からそれぞれ後方に延出する左右一対のテンプルとを具備する眼鏡フレームに対して着脱自在に取り付けられる、テンプルを具備しない内掛眼鏡フレームであって、
前記眼鏡フレームに対して取り付けられた状態において、前記前枠の後面に重ね合わされる左右一対のリムと、
前記左右一対のリムを連結するブリッジ部であって、前記眼鏡フレームを構成する前枠と該前枠に設けられた鼻当て用のパッドとの間に介在するクリングスに支持されるブリッジ部と、
前記左右一対のリム後方にそれぞれ配設された左右一対の筒状部材とを備えることを特徴とする内掛眼鏡フレーム。
【請求項８】
前記筒状部材は、後方周縁部から外方又は内方に向けて平面状に突設され、弾性体から形成された鍔部を備えることを特徴とする請求項６又は７に記載の内掛眼鏡フレーム。
【請求項９】
前記内掛眼鏡フレームを構成するブリッジ部には、前記クリングスに係合する係合部が設けられていることを特徴とする請求項１から８のいずれかに記載の内掛眼鏡フレーム。
【請求項１０】
請求項１から９のいずれかに記載の内掛眼鏡フレームと、
レンズを保持する前枠と、前記前枠の両端からそれぞれ後方に延出する左右一対のテンプルとを具備する眼鏡フレームとを備えることを特徴とする眼鏡フレームセット。
【請求項１１】
前記テンプルの後部に着脱可能なクリップ部と、軸部材を介して前記クリップ部と揺動可能に取り付けられ、耳の裏側に当接可能な耳当接部と、一端が前記耳当接部の前端部に連結され、他端が前記テンプルの前記クリップ部が取り付けられた部位より前方にある所定部に着脱可能な可撓性の絡み防止部材とを具備する眼鏡取り付け具が前記眼鏡フレームに着脱可能に取り付けられていることを特徴とする請求項１０に記載の眼鏡フレームセット。
【請求項１２】
請求項１から９のいずれかに記載の内掛眼鏡フレームと、
レンズを保持する前枠と、前記前枠の両端からそれぞれ後方に延出する一対のテンプルと、軸部材を介して前記テンプルの後部と揺動可能に取り付けられ、耳の裏側に当接可能な耳当接部を有する耳当て部材と、前記テンプルの前記耳当て部材が取り付けられた部位より前方にある所定部と前記耳当接部の前端部とを連結する可撓性の絡み防止部材とを具備し、前記絡み防止部材は、弾性部材であって、前記耳当接部の前端部を前記テンプル側へ押し付ける弾性力を作用させる姿勢と、前記耳当接部の前端部を前記テンプルから離間させる弾性力を作用させる姿勢とに切り替わる眼鏡フレームとを備えることを特徴とする眼鏡フレームセット。
【請求項１３】
前記内掛眼鏡フレームのブリッジ部及び前記眼鏡フレームのブリッジ部の互いに対向する所定部位に着磁手段が設けられていることを特徴とする請求項１０から１２のいずれかに記載の眼鏡フレームセット。
【手続補正２】
【補正対象書類名】明細書
【補正対象項目名】０００５
【補正方法】変更
【補正の内容】
【０００５】
前記課題を解決するべく、本発明は、レンズを保持する前枠と、前記前枠の両端からそれぞれ後方に延出する左右一対のテンプルとを具備する眼鏡フレームに対して着脱自在に取り付けられる、テンプルを具備しない内掛眼鏡フレームであって、前記眼鏡フレームに対して取り付けられた状態において、前記前枠の後面に重ね合わされる左右一対のリムと、前記左右一対のリムを連結するブリッジ部であって、前記眼鏡フレームを構成する前枠と該前枠に設けられた鼻当て用のパッドとの間に介在するクリングスに支持されるブリッジ部とを備え、前記内掛眼鏡フレームを構成するブリッジ部は、前記眼鏡フレームを構成する前枠のブリッジ部後面の形状に対応する凹溝が前面に形成されたブリッジ部本体と、前記ブリッジ部本体の前記凹溝の上端から前方に向けて延設された延設部と、前記凹溝と前後方向に対向するように前記延設部の前端部から下方に延設され、前後方向に撓むことが可能な可撓性部材からなる係止部とを備え、前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されていることを特徴とする内掛眼鏡フレームを提供する。なお、本発明に係る内掛眼鏡フレームを構成する前記左右一対のリムとは、所謂、眼鏡フレームにおけるレンズを嵌め込むためのリムと同等の形態を有する部材を意味する。
【手続補正３】
【補正対象書類名】明細書
【補正対象項目名】０００８
【補正方法】変更
【補正の内容】
【０００８】
また、本発明に係る内掛眼鏡フレームは、内掛眼鏡フレームを構成するブリッジ部が以下の第１態様の構成を有する。すなわち、前記内掛眼鏡フレームを構成するブリッジ部は、前記眼鏡フレームを構成する前枠のブリッジ部後面の形状に対応する凹溝が前面に形成されたブリッジ部本体と、前記ブリッジ部本体の前記凹溝の上端から前方に向けて延設された延設部と、前記凹溝と前後方向に対向するように前記延設部の前端部から下方に延設され、前後方向に撓むことが可能な可撓性部材からなる係止部とを備え、前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されている構成を有する。
【手続補正４】
【補正対象書類名】明細書
【補正対象項目名】０００９
【補正方法】変更
【補正の内容】
【０００９】
この第１態様の構成では、内掛眼鏡フレームを構成するブリッジ部が、眼鏡フレームを構成する前枠のブリッジ部後面の形状に対応する凹溝が前面に形成されたブリッジ部本体と、ブリッジ部本体の凹溝の上端から前方に向けて延設された延設部と、凹溝と前後方向に対向するように延設部の前端部から下方に延設され、前後方向に撓むことが可能な可撓性部材からなる係止部とを備える構成とされている。そして、係止部に付勢力が作用していない状態において、凹溝の底部と係止部との前後方向の間隔が、眼鏡フレームのブリッジ部の前後方向の厚みと略同等に設定されている。従って、内掛眼鏡フレームが眼鏡フレームに取り付けられた状態においては、眼鏡フレームのブリッジ部後面が内掛眼鏡フレームのブリッジ部本体の凹溝に嵌め込まれ、眼鏡フレームのブリッジ部前面が係止部の後面で係止される状態で、延設部が眼鏡フレームのブリッジ部に下方から支持されることになる。従って、内掛眼鏡フレームのブリッジ部の前後方向及び下方向への動きが、眼鏡フレームのブリッジ部によって規制されることになり、内掛眼鏡フレームを眼鏡フレームに確実に取り付けることが可能である。
【手続補正５】
【補正対象書類名】明細書
【補正対象項目名】００１０
【補正方法】変更
【補正の内容】
【００１０】
また、係止部に付勢力が作用していない状態において、ブリッジ部本体と係止部の下端部との前後方向の最小の間隔が、眼鏡フレームのブリッジ部の前後方向の厚みよりも小さく設定されている。従って、内掛眼鏡フレームが眼鏡フレームに取り付けられる際には、内掛眼鏡フレームの延設部を眼鏡フレームのブリッジ部の上方に配設した後、内掛眼鏡フレームを下方へ移動させれば、眼鏡フレームのブリッジ部が内掛眼鏡フレームの係止部の下端部に当接し、係止部が前方に向けて付勢されて撓むため、ブリッジ部本体と係止部の下端部との前後方向の間隔が拡がり、当該間隔を有する隙間を眼鏡フレームのブリッジ部が容易に通過することになる。そして、眼鏡フレームのブリッジ部が前記隙間を通過した後には、係止部が元の状態（付勢力が作用していない状態）に戻り、ブリッジ部本体と係止部の下端部との前後方向の最小の間隔が眼鏡フレームのブリッジ部の前後方向の厚みよりも小さくなるため、当該間隔を有する隙間から眼鏡フレームのブリッジ部が抜け難くなる。一方、内掛眼鏡フレームが眼鏡フレームから取り外される際には、内掛眼鏡フレームの前方が上方に移動するように回動しながら内掛眼鏡フレームの全体を上方へ移動させることにより、眼鏡フレームのブリッジ部後面が内掛眼鏡フレームのブリッジ部本体の凹溝から抜けると共に、眼鏡フレームのブリッジ部が内掛眼鏡フレームの係止部の下端部に当接し、係止部が前方に向けて付勢されて撓むため、ブリッジ部本体と係止部の下端部との前後方向の間隔が拡がり、当該間隔を有する隙間から眼鏡フレームのブリッジ部が容易に抜けることになる。
【手続補正６】
【補正対象書類名】明細書
【補正対象項目名】００１１
【補正方法】変更
【補正の内容】
【００１１】
この構成において、好ましくは、前記係止部の下端部前面は、上方から下方に向けて前記ブリッジ部本体から離間する方向に湾曲した曲面形状とされる。斯かる構成によれば、眼鏡フレームのブリッジ部を内掛眼鏡フレームのブリッジ部本体と係止部の下端部との隙間に挿脱する際に、湾曲した曲面形状に沿って眼鏡フレームのブリッジ部を移動させることができるため、内掛眼鏡フレームの着脱動作をスムーズに行うことができるという利点を有する。
【手続補正７】
【補正対象書類名】明細書
【補正対象項目名】００１２
【補正方法】変更
【補正の内容】
【００１２】
また、本発明に係る内掛眼鏡フレームは、内掛眼鏡フレームを構成するブリッジ部が以下の第２態様の構成を有するものとしても提供される。すなわち、前記内掛眼鏡フレームを構成するブリッジ部は、前記眼鏡フレームを構成する前枠のブリッジ部後面の形状に対応する凹溝が前面に形成されたブリッジ部本体と、前記ブリッジ部本体の前記凹溝の下端から前方に向けて延設された延設部と、前記凹溝と前後方向に対向するように前記延設部の前端部から上方に延設され、前後方向に撓むことが可能な可撓性部材からなる係止部とを備え、前記係止部に付勢力が作用していない状態において、前記ブリッジ部本体と前記係止部の上端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されている構成を有するものとしても提供される。
【手続補正８】
【補正対象書類名】明細書
【補正対象項目名】００１３
【補正方法】変更
【補正の内容】
【００１３】
この第２態様の構成を有する内掛眼鏡フレームについても、着脱動作の方向が上下に反転する点を除き、前記第１態様の構成を有する内掛眼鏡フレームと略同等の作用効果を奏する。
【手続補正９】
【補正対象書類名】明細書
【補正対象項目名】００１４
【補正方法】変更
【補正の内容】
【００１４】
また、本発明に係る内掛眼鏡フレームは、内掛眼鏡フレームを構成するブリッジ部が以下の第３態様の構成を有するものとしても提供される。すなわち、前記内掛眼鏡フレームを構成するブリッジ部は、ブリッジ部本体と、前記ブリッジ部本体の上端部から前方に向けて延設された延設部と、前記ブリッジ部本体と対向するように前記延設部の前端部から下方に延設され、前後方向に撓むことが可能な可撓性部材からなる係止部とを備え、前記係止部の上端部後面には、前記眼鏡フレームを構成する前枠のブリッジ部前面の形状に対応する凹溝が形成され、前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記ブリッジ部本体との前後方向の間隔は、前記眼鏡フレームのブリッジ部の前後方向の厚みと略同等に設定されている構成を有するものとしても提供される。
【手続補正１０】
【補正対象書類名】明細書
【補正対象項目名】００１５
【補正方法】変更
【補正の内容】
【００１５】
この第３態様の構成を有する内掛眼鏡フレームでは、前記第１態様の構成においてブリッジ部本体に形成された凹溝を、ブリッジ部本体ではなく係止部に形成する構成としている。斯かる第３態様の構成を有する内掛眼鏡フレームについても、前記第１態様の構成を有する内掛眼鏡フレームと略同等の作用効果を奏する。
【手続補正１１】
【補正対象書類名】明細書
【補正対象項目名】００１６
【補正方法】変更
【補正の内容】
【００１６】
また、本発明に係る内掛眼鏡フレームは、内掛眼鏡フレームを構成するブリッジ部が以下の第４態様の構成を有するものとしても提供される。すなわち、前記内掛眼鏡フレームを構成するブリッジ部は、ブリッジ部本体と、前記ブリッジ部本体の下端部から前方に向けて延設された延設部と、前記ブリッジ部本体と対向するように前記延設部の前端部から上方に延設され、前後方向に撓むことが可能な可撓性部材からなる係止部とを備え、前記係止部の下端部後面には、前記眼鏡フレームを構成する前枠のブリッジ部前面の形状に対応する凹溝が形成され、前記係止部に付勢力が作用していない状態において、前記ブリッジ部本体と前記係止部の上端部との前後方向の最小の間隔が、前記眼鏡フレームのブリッジ部の前後方向の厚みよりも小さく設定されている一方、前記凹溝の底部と前記ブリッジ部本体との前後方向の間隔は、前記眼鏡フレームのブリッジ部の前後方向の厚みと略同等に設定されている構成を有するものとしても提供される。
【手続補正１２】
【補正対象書類名】明細書
【補正対象項目名】００１７
【補正方法】変更
【補正の内容】
【００１７】
この第４態様の構成を有する内掛眼鏡フレームでは、前記第３態様の構成においてブリッジ部の上下を反転させた構成としている。斯かる第４態様の構成を有する内掛眼鏡フレームについても、着脱動作の方向が上下に反転する点を除き、前記第３態様の構成を有する内掛眼鏡フレームと略同等の作用効果を奏する。
【手続補正１３】
【補正対象書類名】明細書
【補正対象項目名】００１８
【補正方法】変更
【補正の内容】
【００１８】
さらに、本発明に係る内掛眼鏡フレームは、内掛眼鏡フレームを構成するブリッジ部が以下の第５態様の構成を有するものとしても提供される。すなわち、前記内掛眼鏡フレームを構成するブリッジ部は、前記眼鏡フレームを構成する前枠のブリッジ部後面の形状に対応する凹溝が前面に形成されたブリッジ部本体と、前記ブリッジ部本体の前記凹溝の上端から前方に向けて延設された第１の係止部と、前記第１の係止部と略同等の長さを有し、前記ブリッジ部本体の前記凹溝の下端から前方に向けて延設された第２の係止部とを備え、前記第１の係止部及び前記第２の係止部の少なくとも何れか一方は、上下方向に撓むことが可能な可撓性部材からなり、前記第１の係止部及び前記第２の係止部に付勢力が作用していない状態において、前記第１の係止部の前端部と前記第２の係止部の前端部との上下方向の最小の間隔が、前記眼鏡フレームのブリッジ部の上下方向の厚みよりも小さく設定されている一方、前記第１の係止部の後端部と前記第２の係止部の後端部との上下方向の間隔は、前記眼鏡フレームのブリッジ部の上下方向の厚みと略同等に設定されており、なお且つ、前記第１の係止部の後端部又は前記第２の係止部の後端部の長さと前記凹溝の深さとの和が、前記眼鏡フレームのブリッジ部の前後方向の厚みと略同等に設定されている構成を有するものとしても提供される。
【手続補正１４】
【補正対象書類名】明細書
【補正対象項目名】００１９
【補正方法】変更
【補正の内容】
【００１９】
この第５態様の構成では、内掛眼鏡フレームを構成するブリッジ部が、眼鏡フレームのブリッジ部後面の形状に対応する凹溝が前面に形成されたブリッジ部本体と、ブリッジ部本体の凹溝の上端から前方に向けて延設された第１の係止部と、第１の係止部と略同等の長さを有し、ブリッジ部本体の凹溝の下端から前方に向けて延設された第２の係止部とを備え、第１の係止部及び第２の係止部の少なくとも何れか一方が、上下方向に撓むことが可能な可撓性部材から構成されている。そして、第１の係止部及び第２の係止部に付勢力が作用していない状態において、第１の係止部の前端部と第２の係止部の前端部との上下方向の間隔が、眼鏡フレームのブリッジ部の上下方向の厚みと略同等に設定されており、なお且つ、第１の係止部の後端部又は第２の係止部の後端部の長さ（即ち、第１の係止部と第２の係止部との上下方向の間隔が眼鏡フレームのブリッジ部の上下方向の厚みと略同等に設定されている第１の係止部又は第２の係止部の後端部の長さ）と凹溝の深さとの和が、眼鏡フレームのブリッジ部の前後方向の厚みと略同等に設定されている。従って、内掛眼鏡フレームが眼鏡フレームに取り付けられた状態においては、眼鏡フレームのブリッジ部前面が内掛眼鏡フレームのブリッジ部本体の凹溝に嵌め込まれ、眼鏡フレームのブリッジ部上下面が第１の係止部と第２の係止部との間で挟持されることになる。従って、内掛眼鏡フレームのブリッジ部の上下方向及び後方への動きが、眼鏡フレームのブリッジ部によって規制されることになり、内掛眼鏡フレームを眼鏡フレームに確実に取り付けることが可能である。
【手続補正１５】
【補正対象書類名】明細書
【補正対象項目名】００２０
【補正方法】変更
【補正の内容】
【００２０】
また、第１の係止部及び第２の係止部に付勢力が作用していない状態において、第１の係止部の前端部と第２の係止部の前端部との上下方向の最小の間隔が、眼鏡フレームのブリッジ部の上下方向の厚みよりも小さく設定されている。従って、内掛眼鏡フレームが眼鏡フレームに取り付けられる際には、内掛眼鏡フレームの第１の係止部と第２の係止部の隙間を眼鏡フレームのブリッジ部の後方に配設した後、内掛眼鏡フレームを前方へ移動させれば、眼鏡フレームのブリッジ部が内掛眼鏡フレームの第１の係止部の前端部の下端及び第２の係止部の前端部の上端に当接し、第１の係止部の前端部が上方に向けて付勢されて撓むか、若しくは第２の係止部の前端部が下方に向けて付勢されて撓むか、或いは第１の係止部及び第２の係止部の双方の前端部が撓むため、第１の係止部の前端部と第２の係止部の前端部との上下方向の間隔が拡がり、当該間隔を有する隙間を眼鏡フレームのブリッジ部が通過することになる。そして、眼鏡フレームのブリッジ部が前記隙間を通過した後には、第１の係止部若しくは第２の係止部或いはその双方が元の状態（付勢力が作用していない状態）に戻り、第１の係止部の前端部と第２の係止部の前端部との上下方向の最小の間隔が眼鏡フレームのブリッジ部の上下方向の厚みよりも小さくなるため、当該間隔を有する隙間から眼鏡フレームのブリッジ部が抜け難くなる。一方、内掛眼鏡フレームが眼鏡フレームから取り外される際には、内掛眼鏡フレームを後方へ移動させることにより、眼鏡フレームのブリッジ部後面が内掛眼鏡フレームのブリッジ部本体の凹溝から抜けると共に、眼鏡フレームのブリッジ部が内掛眼鏡フレームの第１の係止部の前端部及び第２の係止部の前端部に当接し、第１の係止部が上方に向けて付勢されて撓むか、若しくは第２の係止部が下方に向けて付勢されて撓むか、或いは第１の係止部及び第２の係止部の双方の前端部が撓むため、第１の係止部の前端部と第２の係止部の前端部との上下方向の間隔が拡がり、当該間隔を有する隙間から眼鏡フレームのブリッジ部が抜けることになる。
【手続補正１６】
【補正対象書類名】明細書
【補正対象項目名】００２１
【補正方法】変更
【補正の内容】
【００２１】
なお、前記第１から第５態様の構成を有する内掛眼鏡フレームにおいて、内掛眼鏡フレームの左右方向両端部の前面に、眼鏡フレームのフレームの左右方向両端部の後面の形状に対応する凹溝が設けられていてもよい。斯かる構成によれば、内掛眼鏡フレームの左右方向両端部の前面に、眼鏡フレームの左右方向両端部後面の形状に対応する凹溝が設けられているため、内掛眼鏡フレームを眼鏡フレームに取り付けた際に、前記凹溝に眼鏡フレームの左右方向両端部後面が係合することになり、より一層確実に内掛眼鏡フレームを眼鏡フレームに取り付けることが可能である。
【手続補正１７】
【補正対象書類名】明細書
【補正対象項目名】００２２
【補正方法】変更
【補正の内容】
【００２２】
本発明に係る内掛眼鏡フレームにおいて、前記左右一対のリム後方にそれぞれ配設された左右一対の筒状部材を更に備えていてもよい。斯かる構成によれば、該内掛眼鏡フレームの左右一対のリム後方にそれぞれ位置する左右一対の筒状部材を備えるため、内掛眼鏡フレームを取り付けた眼鏡を装着した場合、該眼鏡を構成するレンズと前記筒状部材とによって眼の周囲は覆われ、防塵機能を奏することになる。特に、内掛眼鏡フレームの左右一対のリムに前記光透過性部材が嵌め込まれている場合には、当該内掛眼鏡フレームの光透過性部材と前記筒状部材とによって眼の周囲は覆われ易く、それだけ防塵機能を高めることができる。この場合、内掛眼鏡フレームと左右一対の筒状部材とが一体的に形成されていてもよいし、左右一対の筒状部材が内掛眼鏡フレームに対して離間可能に取付られてもよい。後者のように、左右一対の筒状部材が内掛眼鏡フレームに対して離間可能に取付られる場合、左右一対の筒状部材が、少なくとも後方周縁部が弾性体から形成されており、硬質性の材料から形成された環状部材と、当該環状部材の周縁部から後方に延設された弾性部材とを有していてもよい。このように環状部材及び弾性部材を備えている場合には、筒状部材の少なくとも後方周縁部（顔部に当接する部分となる）が弾性体から形成されていて、筒状部材が、環状部材の周縁部から後方に延設された弾性部材を備え、当該弾性部材が顔部に当接することになるため、顔部への密着性が高まり、さらに防塵機能を向上させることができると共に、使用者が違和感を感じ難いという利点を有する。
【手続補正１８】
【補正対象書類名】明細書
【補正対象項目名】００２３
【補正方法】変更
【補正の内容】
【００２３】
また、前記課題を解決するべく、本発明は、レンズを保持する前枠と、前記前枠の両端からそれぞれ後方に延出する左右一対のテンプルとを具備する眼鏡フレームに対して着脱自在に取り付けられる、テンプルを具備しない内掛眼鏡フレームであって、前記眼鏡フレームに対して取り付けられた状態において、前記前枠の後面に重ね合わされる左右一対のリムと、前記左右一対のリムを連結するブリッジ部であって、前記眼鏡フレームを構成する前枠と該前枠に設けられた鼻当て用のパッドとの間に介在するクリングスに支持されるブリッジ部と、前記左右一対のリム後方にそれぞれ配設された左右一対の筒状部材とを備えることを特徴とする内掛眼鏡フレームとしても提供される。
【手続補正１９】
【補正対象書類名】明細書
【補正対象項目名】００２４
【補正方法】変更
【補正の内容】
【００２４】
なお、左右一対の筒状部材が内掛眼鏡フレームに対して離間可能に取付られる場合、好ましくは、透明な材料から形成され、前記筒状部材の前方開口部を閉塞する眼鏡部材を更に備えるように構成される。斯かる構成によれば、筒状部材の前方開口部を閉塞する眼鏡部材を備えるため、筒状部材の前方開口部から花粉や粉塵等が筒状部材内部に進入することがなく、防塵機能を更に向上させることが可能である。また、眼鏡部材が透明な材料から形成されるため、眼鏡の視認性を損なうこともない。
【手続補正２０】
【補正対象書類名】明細書
【補正対象項目名】００２５
【補正方法】変更
【補正の内容】
【００２５】
好ましくは、前記筒状部材は、後方周縁部から外方又は内方に向けて平面状に突設され、弾性体から形成された鍔部を備えるように構成される。斯かる構成によれば、内掛眼鏡フレームを取り付けた眼鏡を装着した場合、平面状に突設された鍔部に顔部が当接することになる。即ち、筒状部材と顔部とが鍔部で面接触することになるため、顔部への密着性が高まり防塵機能をより一層向上させることができると共に、使用者が違和感をより一層感じ難いという利点を有する。
【手続補正２１】
【補正対象書類名】明細書
【補正対象項目名】００２６
【補正方法】変更
【補正の内容】
【００２６】
また、左右一対の筒状部材が内掛眼鏡フレームに対して離間可能に取付られる場合、好ましくは、前記筒状部材の前方周縁部に取り付けられた粘着材を更に備えるように構成される。斯かる構成によれば、筒状部材の前方周縁部に粘着材が取り付けられているため、前記筒状部材を取り付ける際に粘着材を内掛眼鏡フレームの左右一対のリム及び／又は前記左右一対のリムに前記光透過性部材が嵌め込まれている場合には、該光透過性部材後面に対して押圧すれば、当該粘着材の粘着力によって筒状部材がリム後面や光透過性部材後面にしっかりと固定されるという利点を有する。なお、粘着材としては、例えば、再粘着性を有するポリウレタン樹脂等を好適に用いることができる。
【手続補正２２】
【補正対象書類名】明細書
【補正対象項目名】００２７
【補正方法】変更
【補正の内容】
【００２７】
前記内掛眼鏡フレームを構成するブリッジ部には、前記クリングスに係合する係合部が設けられていることが好ましい。こうすることで、該係合部の前記クリングスへの係合によって、前記内掛眼鏡フレームのブリッジ部が、該クリングスに対して確実に装着され得る。これにより、前記内掛眼鏡フレームが前記眼鏡フレームから脱落し難くすることができる。
【手続補正２３】
【補正対象書類名】明細書
【補正対象項目名】００２８
【補正方法】変更
【補正の内容】
【００２８】
前記内掛眼鏡フレームのブリッジ部に前記係合部が設けられる具体的態様としては、前記内掛眼鏡フレームの少なくともブリッジ部が可撓性を有する部材で形成されており、前記内掛眼鏡フレームの左右一対のリム間の左右方向の最小の距離が前記眼鏡フレームのクリングスにおける、前記内掛眼鏡フレームのブリッジ部を支持する左右方向の支持端部間の距離より小さく設定されている一方、前記内掛眼鏡フレームのブリッジ部の左右一対のリムとの付け根部分でそれぞれ前記眼鏡フレームのクリングスにおける前記支持端部をそれぞれ保持する左右一対の保持部が設けられており、該左右一対の保持部間の左右方向の最大の距離が前記眼鏡フレームのクリングスにおける前記支持端部間の距離と略同等に設定されている場合を例示できる。
【手続補正２４】
【補正対象書類名】明細書
【補正対象項目名】００２９
【補正方法】変更
【補正の内容】
【００２９】
この態様の内掛眼鏡フレームでは、該内掛眼鏡フレームが眼鏡フレームに取り付けられる際には、内掛眼鏡フレームの左右一対のリムがそれぞれ眼鏡フレームのクリングスの前記支持端部に配設される。このとき、内掛眼鏡フレームのブリッジ部に付勢力が作用していない状態となっており、一対のリム間の左右方向の最小距離が眼鏡フレームのクリングスにおける前記支持端部間の距離より小さく設定されている。この状態で、内掛眼鏡フレーム全体を上下方向の該内掛眼鏡フレームのブリッジ部がクリングスに近づく方向に向けて移動させれば、リムがクリングスの前記支持端部に沿って該方向に移動することで、内掛眼鏡フレームのブリッジ部が撓みつつ一対のリム間の左右方向の距離が拡がり、或いは／さらに、一対のリム間の左右方向の距離が拡がるように外力によって（例えば、両リムを両手で拡開することによって）内掛眼鏡フレームのブリッジ部を撓ませつつ内掛眼鏡フレーム全体を上下方向の該内掛眼鏡フレームのブリッジ部がクリングスに近づく方向に向けて移動させれば、当該リム間の左右方向の距離を有する隙間を眼鏡フレームのクリングスの前記支持端部間が通過可能となり、これによりクリングスの前記支持端部が内掛眼鏡フレームのブリッジ部の左右一対のリムとの付け根部分にそれぞれ設けられた左右一対の保持部に保持される。そして、当該クリングスが前記隙間を通過した後には、内掛眼鏡フレームのブリッジ部が元の状態（付勢力が作用していない状態）に戻る。この状態においては、一対のリム間の左右方向の最小距離がクリングスの前記支持端部間の距離より小さくなるため、当該リム間の左右方向の距離を有する隙間から眼鏡フレームのクリングスが抜け難くなり、こうして眼鏡フレームに内掛眼鏡フレームが簡単且つ安定した状態で確実に取り付けられ得る。一方、内掛眼鏡フレームが眼鏡フレームから取り外される際には、内掛眼鏡フレーム全体を上下方向の該内掛眼鏡フレームのブリッジ部がクリングスから離間する方向に向けて移動させることにより、リムがクリングスの前記支持端部に沿って該方向に移動することで、内掛眼鏡フレームのブリッジ部が撓みつつ一対のリム間の左右方向の距離が拡がり、或いは／さらに、一対のリム間の左右方向の距離が拡がるように外力によって（例えば、両リムを両手で拡開することによって）内掛眼鏡フレームのブリッジ部を撓ませつつ内掛眼鏡フレーム全体を上下方向の該内掛眼鏡フレームのブリッジ部がクリングスから離間する方向に向けて移動させることにより、当該リム間の左右方向の距離を有する隙間を眼鏡フレームのクリングスの前記支持端部間が通過可能となり、こうして眼鏡フレームから内掛眼鏡フレームが簡単に取り外され得る。